(57)【要約】【課題】ユーザの種別や装置の使用形態（決済方法）、使用場所に応じて、適切に省電力モードを制御する。【解決手段】複数の種別のユーザが使用可能な所定の場所に設置される画像処理装置（当該画像処理装置で動作する省電力モード制御プログラム）は、所定の記憶装置から、ユーザ種別毎の使用可能な時間帯（又は使用可能な時間帯と使用可能な決済方法、又は使用可能な時間帯と使用可能な使用場所）を規定するユーザ情報を取得し、所定の時間間隔で、取得したユーザ情報に基づいて、ユーザ種別毎に、現在時刻が当該ユーザ種別のユーザが使用可能な時間帯であるか（又は当該ユーザ種別のユーザが使用可能な決済方法で使用可能な時間帯であるか、又は当該ユーザ種別のユーザが使用可能な使用場所で使用可能な時間帯であるか）を判定し、この判定結果に基づいて、第２の省電力モードの移行を制御する。【選択図】図８
2018130825.tif 000002
【特許請求の範囲】
【請求項１】
複数の種別のユーザが使用可能な所定の場所に設置される画像処理装置であって、
所定の記憶装置から、ユーザ種別毎の使用可能な時間帯を規定するユーザ情報を取得する情報取得部と、
所定の時間間隔で、前記ユーザ情報に基づいて、前記ユーザ種別毎に、現在時刻が当該ユーザ種別のユーザが使用可能な時間帯であるかを判定する判定部と、
待機モードの状態が所定時間継続した場合に前記待機モードよりも消費電力が小さい第１の省電力モードに移行させ、前記第１の省電力モードの状態が所定時間継続した場合に前記第１の省電力モードよりも消費電力が小さい第２の省電力モードに移行させる動作制御部と、を備え、
前記動作制御部は、前記判定部の判定結果に基づいて、前記第２の省電力モードの移行を制御する、
ことを特徴とする画像処理装置。
【請求項２】
前記動作制御部は、いずれか又は特定のユーザ種別のユーザが使用可能な時間帯になった場合は、前記第１の省電力モードから前記第２の省電力モードに移行するタイミングであっても、前記第２の省電力モードへの移行を禁止する、
ことを特徴とする請求項１に記載の画像処理装置。
【請求項３】
前記動作制御部は、前記第２の省電力モード中に、いずれか又は特定の種別のユーザが使用可能な時間帯になった場合は、前記第２の省電力モードから前記第１の省電力モードに移行させる、
ことを特徴とする請求項１に記載の画像処理装置。
【請求項４】
前記動作制御部は、前記第２の省電力モード以外の他のモード中に、全ての種別のユーザの使用不可能な時間帯になった場合は、前記他のモードから前記第２の省電力モードに移行させる、
ことを特徴とする請求項１乃至３のいずれか一に記載の画像処理装置。
【請求項５】
前記情報取得部は、前記ユーザ種別毎の使用可能な時間帯と使用可能な決済方法とを規定するユーザ情報を取得し、
前記判定部は、前記所定の時間間隔で、前記ユーザ情報に基づいて、前記ユーザ種別毎に、現在時刻が当該ユーザ種別のユーザが使用可能な決済方法で使用可能な時間帯であるかを判定し、
前記動作制御部は、前記第２の省電力モード以外の他のモード中に、いずれか又は特定の種別のユーザが後課金でのみ使用可能な時間帯になった場合は、前記他のモードから前記第２の省電力モードへの移行を禁止する、
ことを特徴とする請求項１乃至４のいずれか一に記載の画像処理装置。
【請求項６】
前記情報取得部は、前記ユーザ種別毎の使用可能な時間帯と使用可能な使用場所とを規定するユーザ情報を取得すると共に、自装置の設置場所を特定し、
前記判定部は、前記所定の時間間隔で、前記ユーザ情報に基づいて、前記ユーザ種別毎に、現在時刻が当該ユーザ種別のユーザが使用可能な使用場所で使用可能な時間帯であるかを判定し、
前記動作制御部は、前記第２の省電力モード以外の他のモード中に、いずれか又は特定の種別のユーザが前記設置場所で使用可能な時間帯になった場合は、前記他のモードから前記第２の省電力モードへの移行を禁止する、
ことを特徴とする請求項１乃至４のいずれか一に記載の画像処理装置。
【請求項７】
前記所定の場所は、学校であり、
前記ユーザ種別は、学生と職員と教員とを含む、
ことを特徴とする請求項１乃至６のいずれか一に記載の画像処理装置。
【請求項８】
請求項１乃至７のいずれか一に記載の複数の前記画像処理装置が通信ネットワークを介して接続される印刷システムであって、
前記複数の画像処理装置の中から選択される特定の画像処理装置は、前記所定の記憶装置を含み、いずれかの前記画像処理装置から前記ユーザ情報の追加／更新／削除の通知を受け取った場合、他の前記画像処理装置に前記追加／更新／削除されたユーザ情報を配信する、
ことを特徴とする印刷システム。
【請求項９】
請求項１乃至７のいずれか一に記載の１又は複数の前記画像処理装置とサーバとが通信ネットワークを介して接続される印刷システムであって、
前記サーバは、前記所定の記憶装置を含み、いずれかの前記画像処理装置から前記ユーザ情報の追加／更新／削除の通知を受け取った場合、他の前記画像処理装置に前記追加／更新／削除されたユーザ情報を配信する、
ことを特徴とする印刷システム。
【請求項１０】
複数の種別のユーザが使用可能な所定の場所に設置される画像処理装置における省電力モード制御方法であって、
所定の記憶装置から、ユーザ種別毎の使用可能な時間帯を規定するユーザ情報を取得する情報取得処理と、
前記ユーザ情報に基づいて、前記ユーザ種別毎に、現在時刻が、当該ユーザ種別のユーザが使用可能な時間帯であるかを判定する判定処理と、
待機モードの状態が所定時間継続した場合に前記待機モードよりも消費電力が小さい第１の省電力モードに移行させ、前記第１の省電力モードの状態が所定時間継続した場合に前記第１の省電力モードよりも消費電力が小さい第２の省電力モードに移行させる際に、前記判定処理の判定結果に基づいて、前記第２の省電力モードの移行を制御する動作制御処理と、を実行する、
ことを特徴とする省電力モード制御方法。
【請求項１１】
前記動作制御処理では、いずれか又は特定のユーザ種別のユーザが使用可能な時間帯になった場合は、前記第１の省電力モードから前記第２の省電力モードに移行するタイミングであっても、前記第２の省電力モードへの移行を禁止する、
ことを特徴とする請求項１０に記載の省電力モード制御方法。
【請求項１２】
前記動作制御処理では、前記第２の省電力モード中に、いずれか又は特定の種別のユーザが使用可能な時間帯になった場合は、前記第２の省電力モードから前記第１の省電力モードに移行させる、
ことを特徴とする請求項１０に記載の省電力モード制御方法。
【請求項１３】
前記動作制御処理では、前記第２の省電力モード以外の他のモード中に、全ての種別のユーザの使用不可能な時間帯になった場合は、前記他のモードから前記第２の省電力モードに移行させる、
ことを特徴とする請求項１０乃至１２のいずれか一に記載の省電力モード制御方法。
【請求項１４】
前記情報取得処理では、前記ユーザ種別毎の使用可能な時間帯と使用可能な決済方法とを規定するユーザ情報を取得し、
前記判定処理では、前記所定の時間間隔で、前記ユーザ情報に基づいて、前記ユーザ種別毎に、現在時刻が当該ユーザ種別のユーザが使用可能な決済方法で使用可能な時間帯であるかを判定し、
前記動作制御処理では、前記第２の省電力モード以外の他のモード中に、いずれか又は特定の種別のユーザが後課金でのみ使用可能な時間帯になった場合は、前記他のモードから前記第２の省電力モードへの移行を禁止する、
ことを特徴とする請求項１０乃至１３のいずれか一に記載の省電力モード制御方法。
【請求項１５】
前記情報取得処理では、前記ユーザ種別毎の使用可能な時間帯と使用可能な使用場所とを規定するユーザ情報を取得すると共に、自装置の設置場所を特定し、
前記判定処理では、前記所定の時間間隔で、前記ユーザ情報に基づいて、前記ユーザ種別毎に、現在時刻が当該ユーザ種別のユーザが使用可能な使用場所で使用可能な時間帯であるかを判定し、
前記動作制御処理では、前記第２の省電力モード以外の他のモード中に、いずれか又は特定の種別のユーザが前記設置場所で使用可能な時間帯になった場合は、前記他のモードから前記第２の省電力モードへの移行を禁止する、
ことを特徴とする請求項１０乃至１３のいずれか一に記載の省電力モード制御方法。
【請求項１６】
前記所定の場所は、学校であり、
前記ユーザ種別は、学生と職員と教員とを含む、
ことを特徴とする請求項１０乃至１５のいずれか一に記載の省電力モード制御方法。
【請求項１７】
複数の前記画像処理装置が通信ネットワークを介して接続され、
前記複数の画像処理装置の中から選択される特定の画像処理装置は、前記所定の記憶装置を含み、いずれかの前記画像処理装置から前記ユーザ情報の追加／更新／削除の通知を受け取った場合、他の前記画像処理装置に前記追加／更新／削除されたユーザ情報を配信する、
ことを特徴とする請求項１０乃至１６のいずれか一に記載の省電力モード制御方法。
【請求項１８】
１又は複数の前記画像処理装置とサーバとが通信ネットワークを介して接続され、
前記サーバは、前記所定の記憶装置を含み、いずれかの前記画像処理装置から前記ユーザ情報の追加／更新／削除の通知を受け取った場合、他の前記画像処理装置に前記追加／更新／削除されたユーザ情報を配信する、
ことを特徴とする請求項１０乃至１６のいずれか一に記載の省電力モード制御方法。
【請求項１９】
複数の種別のユーザが使用可能な所定の場所に設置される画像処理装置で動作する省電力モード制御プログラムであって、
前記画像処理装置の制御部に、
所定の記憶装置から、ユーザ種別毎の使用可能な時間帯を規定するユーザ情報を取得する情報取得処理、
所定の時間間隔で、前記ユーザ情報に基づいて、前記ユーザ種別毎に、現在時刻が当該ユーザ種別のユーザが使用可能な時間帯であるかを判定する判定処理、
待機モードの状態が所定時間継続した場合に前記待機モードよりも消費電力が小さい第１の省電力モードに移行させ、前記第１の省電力モードの状態が所定時間継続した場合に前記第１の省電力モードよりも消費電力が小さい第２の省電力モードに移行させる際に、前記判定処理の判定結果に基づいて、前記第２の省電力モードの移行を制御する動作制御処理、を実行させる、
ことを特徴とする省電力モード制御プログラム。
【発明の詳細な説明】
【技術分野】
【０００１】
本発明は、画像処理装置、省電力モード制御方法及び省電力モード制御プログラムに関し、特に、省電力モードとして電力消費量が異なる複数のモードを備える画像処理装置、省電力モードを制御する省電力モード制御方法及び省電力モード制御プログラムに関する。
【背景技術】
【０００２】
ＭＦＰ（Multi-Functional Peripherals）などの画像処理装置は、待機モードにおいて一定時間無操作状態又はジョブが無い状態が続いた場合に、省電力モードに移行する制御が行われており、この省電力モードへの移行タイミングに関する技術は広く知られている。上記省電力モードには、待機モードよりも消費電力が小さいモード（Sleepモードと呼ぶ。）と、Sleepモードよりも消費電力が小さいモード（Deep Sleepモードと呼ぶ。）と、がある。Sleepモードは、例えば、ＭＦＰのパネルの電源をオフにして電力消費を抑えるモードであり、Deep Sleepモードは、例えば、ＣＰＵ（Central Processing Unit）のクロック周波数を下げたり、定着装置のヒータをオフにしたりして電力消費を抑えるモードである。
【０００３】
また、ＭＦＰの省電力機能に関して、ウィークリータイマー（以下、ＷＴと略記する。）機能が知られている。このＷＴ機能は、予めSleepモードやDeep Sleepモードに入る日時を設定し、設定日時になるとSleepモードやDeep Sleepモードに移行する制御を行う。
【０００４】
このようなＭＦＰの省電力モードに関する技術として、例えば、下記特許文献１には、複数の端末装置と、電力状態を省電力モードと通常モードとに切り換える１又は複数の画像形成装置がネットワークを介して接続された電子会議システムにおいて、前記端末装置の中の所定の端末装置に、電子会議の開始／終了等のイベントに係わる情報と、前記イベントの実行開始後の経過時間を含むタイミング情報を入力し、前記タイミング情報が入力された所定の端末装置は、前記イベントが実行され、さらに前記イベントに対応する時間が経過すると、前記画像形成装置に、当該画像形成装置の電力状態を省電力モードから通常モードに移行させるためのコマンドを送信し、当該コマンドを受信した省電力モードの画像形成装置を通常モードに切り換える構成が開示されている。
【０００５】
また、下記特許文献２には、画像形成が可能な状態で待機する待機モードと、待機モードよりも消費電力が小さく画像形成を実行できないスリープモードとを切り替え制御する制御手段と、自装置の周囲に設定された特定エリア内に位置するユーザに関する情報を取得するユーザ情報取得手段と、を備え、前記制御手段は、前記スリープモードにおいて、省電力性よりもユーザの利便性を優先させた第１制御形態と、ユーザの利便性よりも省電力性を優先させた第２制御形態とのいずれかとすることが可能であり、第１制御形態と第２制御形態との切り替えを、前記ユーザ情報取得手段によって取得された情報に基づいて行う画像形成装置が開示されている。
【０００６】
また、下記特許文献３には、機器の省電力モード移行から所定の経過期間内になされた印刷指示回数を算出する算出部と、所定の設定期間における前記印刷指示回数が基準値を上回っているか判別する判別部と、前記印刷指示回数が前記基準値を上回っているとき前記省電力モードへの移行期間をプラス補正し、前記基準値以下のとき前記省電力モードへの移行期間をマイナス補正する補正部と、を具備する画像形成装置が開示されている。
【先行技術文献】
【特許文献】
【０００７】
【特許文献１】特開２００９−１１８３９８号公報
【特許文献２】特開２０１４−１６５５３１号公報
【特許文献３】特開２００８−０８３５０６号公報
【発明の概要】
【発明が解決しようとする課題】
【０００８】
上述した省電力機能は、操作状態やジョブ処理状態、予め設定した日時などに基づいて省電力モードへの移行を制御するものであるが、ＭＦＰを使用するユーザの種別やＭＦＰの使用形態（例えば、決済方法）、使用場所などは様々であり、適切に省電力モードを制御するのは困難である。
【０００９】
この問題に対して、上記特許文献１では、イベントの実行開始後の経過時間を含むタイミング情報に基づいて省電力モードへの移行タイミングを制御しているが、この技術は、電子会議等において会議の進行内容や時間配分が既知であることを前提にしているため、スケジュールが確定しない環境に設置されたＭＦＰの制御には利用できない。また、上記特許文献２では、特定エリアにいる人をログイン可能な人数としているため、エリアが確定しない環境に設置されたＭＦＰの制御には利用できない。また、上記特許文献３では、印刷指示回数に基づいて省電力モードへの移行期間を補正しているが、この技術は、履歴情報に基づく制御であり、様々な種別のユーザが混在する環境に設置されたＭＦＰの制御には利用できない。
【００１０】
また、ウィークリータイマー機能は、予め定められた時間外に利用を禁止する機能であり、この機能は会社内に設置されるＭＦＰのように、社員のみが利用可能であり、業務以外の利用が禁止される環境では有効である。しかしながら、大学や高校などの学校施設内に設置されるＭＦＰのように、教員や職員、学生などの様々な種別のユーザが利用可能、又は、役所や図書館などの公共施設内に設置されるＭＦＰのように、職員、来訪者などの様々な種別のユーザが利用可能であり、業務以外の利用も禁止されない環境では、ウィークリータイマー機能を利用することができない。
【００１１】
すなわち、従来の技術は、ユーザの種別や使用形態（例えば、決済方法）、使用場所が確定できる環境（いわゆるクローズ環境）では有効であるが、ユーザの種別や使用形態、使用場所が確定できない環境（いわゆるオープン環境）では、これらの技術を用いても、省電力モードへの移行タイミングを適切に制御することはできない。
【００１２】
本発明は、上記問題点に鑑みてなされたものであって、その主たる目的は、装置を使用するユーザの種別や装置の使用形態（決済方法）、使用場所に応じて、適切に省電力モードを制御することができる画像処理装置、省電力モード制御方法及び省電力モード制御プログラムを提供することにある。
【課題を解決するための手段】
【００１３】
本発明の一側面は、複数の種別のユーザが使用可能な所定の場所に設置される画像処理装置であって、所定の記憶装置から、ユーザ種別毎の使用可能な時間帯を規定するユーザ情報を取得する情報取得部と、所定の時間間隔で、前記ユーザ情報に基づいて、前記ユーザ種別毎に、現在時刻が当該ユーザ種別のユーザが使用可能な時間帯であるかを判定する判定部と、待機モードの状態が所定時間継続した場合に前記待機モードよりも消費電力が小さい第１の省電力モードに移行させ、前記第１の省電力モードの状態が所定時間継続した場合に前記第１の省電力モードよりも消費電力が小さい第２の省電力モードに移行させる動作制御部と、を備え、前記動作制御部は、前記判定部の判定結果に基づいて、前記第２の省電力モードの移行を制御することを特徴とする。
【００１４】
本発明の一側面は、複数の種別のユーザが使用可能な所定の場所に設置される画像処理装置における省電力モード制御方法であって、所定の記憶装置から、ユーザ種別毎の使用可能な時間帯を規定するユーザ情報を取得する情報取得処理と、所定の時間間隔で、前記ユーザ情報に基づいて、前記ユーザ種別毎に、現在時刻が当該ユーザ種別のユーザが使用可能な時間帯であるかを判定する判定処理と、待機モードの状態が所定時間継続した場合に前記待機モードよりも消費電力が小さい第１の省電力モードに移行させ、前記第１の省電力モードの状態が所定時間継続した場合に前記第１の省電力モードよりも消費電力が小さい第２の省電力モードに移行させる際に、前記判定処理の判定結果に基づいて、前記第２の省電力モードの移行を制御する動作制御処理と、を実行することを特徴とする。
【００１５】
本発明の一側面は、複数の種別のユーザが使用可能な所定の場所に設置される画像処理装置で動作する省電力モード制御プログラムであって、前記画像処理装置の制御部に、所定の記憶装置から、ユーザ種別毎の使用可能な時間帯を規定するユーザ情報を取得する情報取得処理、所定の時間間隔で、前記ユーザ情報に基づいて、前記ユーザ種別毎に、現在時刻が当該ユーザ種別のユーザが使用可能な時間帯であるかを判定する判定処理、待機モードの状態が所定時間継続した場合に前記待機モードよりも消費電力が小さい第１の省電力モードに移行させ、前記第１の省電力モードの状態が所定時間継続した場合に前記第１の省電力モードよりも消費電力が小さい第２の省電力モードに移行させる際に、前記判定処理の判定結果に基づいて、前記第２の省電力モードの移行を制御する動作制御処理、を実行させることを特徴とする。
【発明の効果】
【００１６】
本発明の画像処理装置、省電力モード制御方法及び省電力モード制御プログラムによれば、装置を使用するユーザの種別や装置の使用形態（決済方法）、使用場所に応じて、適切に省電力モードを制御することができる。
【００１７】
その理由は、複数の種別のユーザが使用可能な所定の場所に設置される画像処理装置（当該画像処理装置で動作する省電力モード制御プログラム）は、所定の記憶装置から、ユーザ種別毎の使用可能な時間帯（又は使用可能な時間帯と使用可能な決済方法、又は使用可能な時間帯と使用可能な使用場所）を規定するユーザ情報を取得し、所定の時間間隔で、取得したユーザ情報に基づいて、ユーザ種別毎に、現在時刻が当該ユーザ種別のユーザが使用可能な時間帯であるか（又は当該ユーザ種別のユーザが使用可能な決済方法で使用可能な時間帯であるか、又は当該ユーザ種別のユーザが使用可能な使用場所で使用可能な時間帯であるか）を判定し、待機モードの状態が所定時間継続した場合に待機モードよりも消費電力が小さい第１の省電力モードに移行させ、第１の省電力モードの状態が所定時間継続した場合に第１の省電力モードよりも消費電力が小さい第２の省電力モードに移行させる動作制御の際に、上記の判定結果に基づいて、第２の省電力モードの移行を制御するからである。
【図面の簡単な説明】
【００１８】
【図１】本発明の一実施例に係る印刷システムの構成を示す模式図である。
【図２】本発明の一実施例に係る画像処理装置の構成を示すブロック図である。
【図３】本発明の一実施例に係る省電力モードの制御に使用するＩＣカードの一例を示すテーブルである。
【図４】本発明の一実施例に係る省電力モードの制御に使用するユーザ情報の一例を示すテーブルである。
【図５】上記ユーザ情報の共有を説明する模式図である。
【図６】本発明の一実施例に係る省電力モードの制御に使用するマシン固有情報の一例を示すテーブルである。
【図７（ａ）】本発明の一実施例に係る電力状態の判定マトリクスを示すテーブルである。
【図７（ｂ）】本発明の一実施例に係る電力状態の判定マトリクスを示すテーブルである。
【図７（ｃ）】本発明の一実施例に係る電力状態の判定マトリクスを示すテーブルである。
【図７（ｄ）】本発明の一実施例に係る電力状態の判定マトリクスを示すテーブルである。
【図８】本発明の一実施例に係る画像処理装置の処理（全体フロー）を示すフローチャート図である。
【図９】本発明の一実施例に係る画像処理装置の処理（ＭＦＰの使用可能時間帯の判定フロー）を示すフローチャート図である。
【図１０】本発明の一実施例に係るＭＦＰの使用可能時間帯の判定結果を示すテーブルである。
【図１１】本発明の一実施例に係る画像処理装置の処理（使用可能な決済方法の判定フロー）を示すフローチャート図である。
【図１２】本発明の一実施例に係る使用可能な決済方法の判定結果を示すテーブルである。
【図１３】本発明の一実施例に係る画像処理装置の処理（使用可能な使用場所の判定フロー）を示すフローチャート図である。
【図１４】本発明の一実施例に係る使用可能な使用場所の判定結果を示すテーブルである。
【図１５】本発明の一実施例に係る画像処理装置の処理（省電力モードが”ユーザのみ”の場合の判定フロー）を示すフローチャート図である。
【図１６（ａ）】本発明の一実施例に係る画像処理装置の処理（省電力モードが”ユーザ＋決済方法”の場合の判定フロー）を示すフローチャート図である。
【図１６（ｂ）】本発明の一実施例に係る画像処理装置の処理（省電力モードが”ユーザ＋決済方法”の場合の判定フロー）を示すフローチャート図である。
【図１６（ｃ）】本発明の一実施例に係る画像処理装置の処理（省電力モードが”ユーザ＋決済方法”の場合の判定フロー）を示すフローチャート図である。
【図１７】本発明の一実施例に係る画像処理装置の処理（省電力モードが”ユーザ＋使用場所”の場合の判定フロー）を示すフローチャート図である。
【図１８（ａ）】本発明の一実施例に係る画像処理装置の処理（省電力モードが”ユーザ＋使用場所”の場合の判定フロー）を示すフローチャート図である。
【図１８（ｂ）】本発明の一実施例に係る画像処理装置の処理（省電力モードが”ユーザ＋使用場所”の場合の判定フロー）を示すフローチャート図である。
【図１９（ａ）】本発明の一実施例に係る画像処理装置の処理（省電力モードが”ユーザ＋使用場所”の場合の判定フロー）を示すフローチャート図である。
【図１９（ｂ）】本発明の一実施例に係る画像処理装置の処理（省電力モードが”ユーザ＋使用場所”の場合の判定フロー）を示すフローチャート図である。
【図２０（ａ）】本発明の一実施例に係る画像処理装置の処理（省電力モードが”ユーザ＋使用場所”の場合の判定フロー）を示すフローチャート図である。
【図２０（ｂ）】本発明の一実施例に係る画像処理装置の処理（省電力モードが”ユーザ＋使用場所”の場合の判定フロー）を示すフローチャート図である。
【図２１】ＭＦＰの状態と消費電力との関係を説明する図である。
【図２２】ＷＴを説明する図である。
【図２３】ケース１の課題を説明する図である。
【図２４】ケース１の解決手段を説明する図である。
【図２５】ケース１の他の課題を説明する図である。
【図２６】ケース１の他の解決手段を説明する図である。
【図２７】ケース２の課題を説明する図である。
【図２８】ケース２の解決手段を説明する図である。
【図２９】ケース３の課題を説明する図である。
【図３０】ケース３の解決手段を説明する図である。
【図３１】ケース４の課題を説明する図である。
【図３２】ケース４の解決手段を説明する図である。
【発明を実施するための形態】
【００１９】
背景技術で示したように、ＭＦＰなどの画像処理装置は、通常の動作モード（通常モード又は待機モード）において一定時間無操作状態又はジョブが無い状態が続いた場合に省電力モード（SleepモードやDeep Sleepモード）に移行することにより、消費電力の低減を図っており、省電力モードへの移行タイミングに関して様々な技術が提案されている。
【００２０】
ここで、消費電力を低減するには、頻繁に省電力モードに移行するように制御すればよいが、通常、ＭＦＰが省電力モードから通常モードに復帰するには、３０秒〜５分間程度の時間を要し、その間、ユーザは待たされることになるため、素早い印刷が必要な場合に不便である。図２１は、ＭＦＰの状態と消費電力の関係を示す図である。図２１（ａ）に示すように、ＭＦＰがジョブ処理中又は起動中の場合、エンジンの各部（露光装置や現像装置、定着装置など）を動作させたり、パネルを点灯させたりするため、消費電力は大きな値となるが、一定時間無操作状態又はジョブが無い状態が続いた場合は待機状態になり、主にエンジンの動作を抑制することにより、消費電力を低減することができる。更に、待機状態が一定時間続いた場合はSleep状態になり、例えば、パネルの電源をオフにして消費電力を低減することができ、Sleep状態が一定時間続いた場合はDeep Sleep状態になり、例えば、ＣＰＵのクロック周波数を下げたり、定着装置のヒータをオフにしたりして消費電力を低減することができる。
【００２１】
この動作モードの移行に関して、消費電力の大きい動作モードから消費電力の小さい動作モードに移行する場合は、基本的に装置の機能や電源をオフにするだけであるため、動作モードの移行時間は短い（図２１（ａ）における立ち下がりが垂直に近い）が、消費電力の小さい動作モードから消費電力の大きい動作モードに復帰する場合は、装置の機能や電源をオンにするのみならず、動作が安定するまで待つ必要があるため、動作モードの移行時間は長くなる（図２１（ａ）における立ち上がりが傾斜する）。例えば、Deep Sleepモードから通常モードに復帰するには、ＣＰＵのクロック周波数を上げたり、定着装置のヒータをオンにして温度を上げたり、パネルの電源をオンにしてパネルに操作画面を表示させたりする必要があり、ＣＰＵのクロック周波数が安定し、定着装置のヒータが一定温度に到達し、パネルが操作可能な状態になるまでに時間を要する。また、Sleepモードから通常モードに復帰する場合も同様であり、パネルの電源をオンにしてパネルに操作画面を表示させる必要があり、パネルが操作可能な状態になるまでに時間を要する。従って、省電力モードを制御する場合は、通常モード又は待機モードに復帰するまでのタイムラグを考慮する必要がある。
【００２２】
上記はＭＦＰの状態に応じて動作モードを移行させる場合の方法であるが、日時に基づいて動作モードを移行させる場合は、ＷＴ（ウィークリータイマー）機能を用いることもできる。図２２は、ＷＴ機能の設定例であり、例えば、ＷＴの適用範囲を１２時から１５時に設定した場合、１２時になると待機モードからDeep Sleepモードに移行し、１５時になるとDeep Sleepモードから待機モードに移行する。
【００２３】
このＷＴ機能は、日時を指定する方法であるが、あるイベントを開始する際に、そのイベントのタイムスケジュールに合わせてＭＦＰの動作モードを制御することもできる。例えば、特許文献１では、電子会議システムで使用する電子会議サーバ内の通常モード移行タイミング管理部がイベント情報を受信すると、当該イベント情報に対応するタイミング情報記録テーブルの時間情報欄の時間を監視し、当該時間が経過すると通常モード移行指示コマンドをＭＦＰに送信し、ＭＦＰの省電力制御部は通常モード移行指示コマンドを受信すると、ＭＦＰが省電力モードの場合には、省電力モードから通常モードに移行するようにしている。
【００２４】
このようなＷＴ機能や特許文献１の技術を利用することにより、省電力モードを制御することができるが、上述したように、消費電力の小さい動作モードから消費電力の大きい動作モードに復帰するまでに待ち時間が生じるため、このタイムラグを考慮して省電力モードを制御する必要がある。
【００２５】
ここで、電子会議などの参加者の目的が決まっている場合や、会議の進行内容や時間配分などが予め分かっている場合は、時間経過に合わせてＭＦＰの電力状態を適切に管理することは可能であるが、学校施設や公共施設などに設置されるＭＦＰのように、使用者の利用目的が決まっていない環境（オープン環境）においては、特許文献１のようなタイミング情報記録テーブルを利用することはできず、ＭＦＰの電力状態、すなわち、省電力モードへの移行タイミングや省電力モードからの移行タイミングを適切に制御することはできない。更に、オープン環境に置かれたＭＦＰは、装置を使用するユーザの種別や装置の使用形態（例えば、決済方法）、使用場所などにより、時間に応じて省電力モードを切り替えたいという要望もある。
【００２６】
そこで、本発明の一実施の形態では、省電力モードを有する画像処理装置において、ユーザの種別毎に、使用可能時間帯、決済方式、使用場所などを関連付けたユーザ情報を管理し、ユーザ情報に基づいて画像処理装置を使用可能な時間であるかを判定することにより、適切に省電力モードの移行を制御する。具体的には、サーバなどから、ユーザ種別毎の使用可能な時間帯（又は使用可能な時間帯と使用可能な決済方法、又は使用可能な時間帯と使用可能な使用場所）を規定するユーザ情報を取得し、所定の時間間隔で、取得したユーザ情報に基づいて、ユーザ種別毎に、現在時刻が当該ユーザ種別のユーザが使用可能な時間帯であるか（又は当該ユーザ種別のユーザが使用可能な決済方法で使用可能な時間帯であるか、又は当該ユーザ種別のユーザが使用可能な使用場所で使用可能な時間帯であるか）を判定し、この判定結果に基づいて、第２の省電力モードの移行を制御する。
【００２７】
上記制御について、以下の４つのケースについて具体的に説明する。
【００２８】
＜ケース１：パターン１＞
図２３に示すように、ＭＦＰがDeep Sleepモードから待機モードに移行するまでに時間がかかるため、ＭＦＰを使用可能なユーザが多い時間帯や、特定のユーザが使用可能な時間帯は、省電力モード（Deep Sleepモード）へは移行させたくない場合がある。この場合は、図２４に示すように、SleepモードからDeep Sleepモードへの移行制御において、ユーザ数が多い又は特定のユーザが使用可能な場合（例えば、学生が使用可能な場合）は、Deep Sleepモードには移行せずにSleepモードのままとし、ユーザがＭＦＰを使用する時の待ち時間を短くする。すなわち、いずれかのユーザ種別のユーザが使用可能な時間帯になった場合は、SleepモードからDeep Sleepモードに移行するタイミングであっても、Deep Sleepモードへの移行を禁止する制御を行う。
【００２９】
＜ケース１：パターン２＞
図２５に示すように、ＷＴ機能などを用いてDeep Sleepモードに移行する制御を行う場合において、ＷＴの適用範囲の時間帯（ここでは１２時から１４時）は、ユーザ数やユーザの種別に関係なくDeep Sleepモードに移行してしまう。この場合は、図２６に示すように、Deep Sleepモードに移行した後に、ユーザ数が多い又は特定のユーザが使用可能な時間帯になる場合（例えば、学生が１４時から１５時の時間帯で使用可能な場合）は、Deep SleepモードからSleepモードに移行させ、ユーザがＭＦＰを使用する時の待ち時間を短くする。すなわち、Deep Sleepモード中に、いずれかの種別のユーザが使用可能な時間帯になった場合は、Deep SleepモードからSleepモードに移行させる制御を行う。
【００３０】
＜ケース２＞
図２７に示すように、ＷＴ機能を適用しない時間帯であってもＭＦＰを使用するユーザがいない時間帯（全ユーザが使用禁止の場合）は、消費電力を抑えたい場合がある。この場合は、図２８に示すように、ＭＦＰを使用可能なユーザがいない時間帯はDeep Sleepモードに移行し、消費電力を抑える。すなわち、Deep Sleepモード以外の他のモード中に、全ての種別のユーザの使用不可能な時間帯になった場合は、他のモードからDeep Sleepモードに移行させる制御を行う。
【００３１】
＜ケース３＞
図２９に示すように、ＭＦＰの決済方式が固定されている場合に、省電力モードに設定することができない。この場合は、図３０に示すように、ユーザの時間帯毎の決済方法を見て、後課金（カウンタ課金）でのみ使用が許可されているＭＦＰはSleepモードまでの移行とし、前課金（コインベンダ）でのみで使用が許可されているＭＦＰは、コインベンダへのコイン投入等の時間があるため、Deep Sleepモードまで移行を許可する。すなわち、Deep Sleepモード以外の他のモード中に、いずれかの種別のユーザが後課金でのみ使用可能な時間帯になった場合は、他のモードからDeep Sleepモードへの移行を禁止する制御を行う。
【００３２】
＜ケース４＞
図３１に示すように、ＭＦＰの使用場所が固定されている場合に、省電力モードに設定することができない。この場合は、図３２に示すように、ユーザの時間帯ごとの使用場所を見て、不特定多数の者が使用する場所（例えば、生協）でのみ使用が許可されているＭＦＰはSleepモードまでの移行とし、特定少数の者が使用する場所（例えば、研究室）でのみ使用が許可されているＭＦＰは、生協等に比べてＭＦＰの使用頻度は低いためDeep Sleepモードまでの移行を許可する。すなわち、Deep Sleepモード以外の他のモード中に、いずれかの種別のユーザがＭＦＰの設置場所で使用可能な時間帯になった場合は、他のモードからDeep Sleepモードへの移行を禁止する制御を行う。
【００３３】
このような制御を行うことにより、様々なユーザが使用するようなオープン環境に置かれたＭＦＰにおいても、適切に省電力モードの移行を制御することができる。また、ＭＦＰの管理者にとってもＭＦＰの管理がしやすくなり、ユーザビリティの向上を図ることができる。なお、任意のオープン環境に置かれたＭＦＰの省電力モード制御において上記効果を得ることができるが、以下の実施例では、学生と職員と教員とが混在する大学に置かれたＭＦＰの省電力モード制御について説明する。
【実施例】
【００３４】
上記した本発明の実施の形態についてさらに詳細に説明すべく、本発明の一実施例に係る画像処理装置、省電力モード制御方法及び省電力モード制御プログラムについて、図１乃至図２０を参照して説明する。図１は、本実施例の印刷システムの構成を示す模式図であり、図２は、画像処理装置の構成を示すブロック図である。また、図３は、本実施例の省電力モードの制御に使用するカードの一例を示すテーブルであり、図４は、本実施例の省電力モードの制御に使用するユーザ情報の一例を示すテーブルである。また、図５は、ユーザ情報の共有を説明する模式図、図６は、本実施例の省電力モードの制御に使用するマシン固有情報の一例を示すテーブルであり、図７は、電力状態の判定マトリクスを示すテーブルである。また、図８、９、１１、１３、１５乃至２０は、本実施例の画像処理装置の処理を示すフローチャート図であり、図１０、１２、１４は、各々、図９、１１、１３の判定結果を示すテーブルである。
【００３５】
図１（ａ）に示すように、本実施例の印刷システムは、１又は複数のＭＦＰなどの画像処理装置１０で構成され、複数の画像処理装置１０は、イーサネット（登録商標）、トークンリング、ＦＤＤＩ（Fiber-Distributed Data Interface）等の規格により定められるＬＡＮ（Local Area Network）やＷＡＮ（Wide Area Network）等の通信ネットワーク４０を介して接続されている。なお、図１（ａ）では印刷システムを１又は複数の画像処理装置１０で構成したが、図１（ｂ）に示すように、通信ネットワーク４０を介して、ユーザ情報を保持するサーバ３０などが接続される構成としてもよい。
【００３６】
本実施例の画像処理装置１０は、図２（ａ）に示すように、コントローラ（制御部）１１、記憶部１５、パネル（表示操作部）１６、画像処理部１７、画像読取部（スキャナ）１８、印刷部（エンジン）１９、後処理部２０、ネットワークＩ／Ｆ部２１、ＵＳＢ  Ｉ／Ｆ部２２、シリアルＩ／Ｆ部２３などで構成される。
【００３７】
コントローラ１１は、１又は複数のＣＰＵ１２（ここでは４つのＣＰＵからなるマルチコアＣＰＵ）と、ＲＯＭ（Read Only Memory）１３やＲＡＭ（Random Access Memory）１４などのメモリとで構成され、ＣＰＵ１２は、ＲＯＭ１３や記憶部１５に記憶した制御プログラムをＲＡＭ１４に展開して実行することにより、画像処理装置１０全体の動作を制御する。
【００３８】
上記コントローラ１１は、図２（ｂ）に示すように、情報取得部１１ａ、判定部１１ｂ、動作制御部１１ｃなどとして機能する。
【００３９】
情報取得部１１ａは、ユーザ種別毎の使用可能な時間帯と必要に応じて使用可能な決済方法又は使用可能な使用場所とを規定する情報（以下、ユーザ情報と呼ぶ。）を親機となる画像処理装置１０やサーバ３０などから取得し、記憶部１５などに記憶して管理する。上記ユーザ種別とは、グルーピングされたユーザの種別であり、本実施例では、大学の学生と職員と教員とするが、この種別は任意に設定可能である。また、ユーザ情報が追加／更新／削除された場合、ネットワークで接続されている画像処理装置１０間又はサーバ３０と画像処理装置１０間でユーザ情報の追加／更新／削除を共有する。すなわち、親機となるＭＦＰやサーバ３０は、いずれかの画像処理装置１０からユーザ情報の追加／更新／削除の通知を受け取った場合、他の画像処理装置１０に追加／更新／削除されたユーザ情報を配信する。なお、上記ユーザ情報の取得方法は特に限定されず、例えば、ＳＮＭＰ（Simple Network Management Protocol）で管理されるネットワーク機器が自分の状態を外部に知らせるために公開するＭＩＢ（Management Information Base）情報を用いて取得することができる。また、情報取得部１１ａは、画像処理装置１０間又はサーバ３０と画像処理装置１０間で共有されないマシン固有情報（例えば、設置場所コード、前課金装置の有無など）の情報を記憶部１５などに記憶して管理する。
【００４０】
判定部１１ｂは、情報取得部１１ａが管理するユーザ情報やマシン固有情報に基づいて、ユーザ種別毎に、現在時刻が、当該ユーザ種別のユーザが使用可能な時間帯であるか、当該ユーザ種別のユーザが使用可能な決済方法で使用可能な時間帯であるか、当該ユーザ種別のユーザが使用可能な使用場所で使用可能な時間帯であるかなどを判定する。
【００４１】
動作制御部１１ｃは、待機モードの状態が所定時間継続した場合に待機モードよりも消費電力が小さいSleepモード（第１の省電力モード）に移行させ、Sleepモードモードの状態が所定時間継続した場合にSleepモードモードよりも消費電力が小さいDeep Sleepモード（第２の省電力モード）に移行させる動作制御を行う。また、待機モードやSleepモード、Deep Sleepモードの状態において、パネル１６の操作が行われたりジョブを受信したりした場合は、通常モードに復帰する動作制御を行う。その際、上記判定部１１ｂの判定結果に基づいて、Deep Sleepモードの移行を制御する。
【００４２】
具体的には、いずれか又は特定のユーザ種別のユーザが使用可能な時間帯になった場合は、SleepモードからDeep Sleepモードに移行するタイミングであっても、Deep Sleepモードへの移行を禁止する。また、Deep Sleepモード中に、いずれか又は特定の種別のユーザが使用可能な時間帯になった場合は、Deep SleepモードからSleepモードに移行させる。また、Deep Sleepモード以外の他のモード中に、全ての種別のユーザの使用不可能な時間帯になった場合は、他のモードからDeep Sleepモードに移行させる。また、Deep Sleepモード以外の他のモード中に、いずれか又は特定の種別のユーザが後課金（カウンタ課金）でのみ使用可能な時間帯になった場合は、他のモードからDeep Sleepモードへの移行を禁止する。また、Deep Sleepモード以外の他のモード中に、いずれか又は特定の種別のユーザが画像処理装置１０の設置場所で使用可能な時間帯になった場合は、他のモードからDeep Sleepモードへの移行を禁止する。
【００４３】
なお、情報取得部１１ａ、判定部１１ｂ、動作制御部１１ｃは、ハードウェアとして構成してもよいし、コントローラ１１を、情報取得部１１ａ、判定部１１ｂ、動作制御部１１ｃとして機能させる省電力モード制御プログラムとして構成し、当該省電力モード制御プログラムをＣＰＵ１２に実行させる構成としてもよい。
【００４４】
記憶部１５は、ＨＤＤ（Hard Disk Drive）やＳＳＤ（Solid State Drive）などで構成され、ＣＰＵ１２が各部を制御するためのプログラム、自装置の処理機能に関する情報、上述したユーザ情報、マシン固有情報などを記憶する。
【００４５】
パネル（表示操作部）１６は、ＬＣＤ（Liquid Crystal Display）や有機ＥＬ（Electro Luminescence）ディスプレイなどの表示部と、表示部上に電極が格子状に配列されたタッチパネル、マウス、キーボード、ハードスイッチなどの操作部とで構成され、印刷処理に関する各種画面を表示し、印刷に関する各種操作を可能にする。
【００４６】
画像処理部１７は、ＲＩＰ部（Raster Image Processor）として機能し、ジョブを翻訳して中間データを生成し、レンダリングを行ってビットマップ形式の画像データを生成する（この一連の処理をＲＩＰ処理と呼ぶ。）。また、画像処理部１７は、必要に応じて、画像データに対して、スクリーン処理、階調補正、濃度バランス調整、細線化、網点処理などを行う。そして、画像処理部１７は、生成した画像データを印刷部１９に出力する。
【００４７】
画像読取部（スキャナ）１８は、原稿台上の原稿から画像データを光学的に読み取る部分であり、原稿を走査する光源と、原稿で反射された光を電気信号に変換するＣＣＤ（Charge Coupled Devices）等のイメージセンサと、電気信号をＡ／Ｄ変換するＡ／Ｄ変換器等により構成される。
【００４８】
印刷部（エンジン）１９は、電子写真方式や静電記録方式等の作像プロセスを利用した画像形成に必要な構成要素で構成され、画像処理部１７が生成した画像データや画像読取部１８で読み込んだ画像データに基づく画像を、指定された用紙に印刷する。具体的には、帯電装置により帯電された感光体ドラムに露光装置から画像に応じた光を照射して静電潜像を形成し、現像装置で帯電したトナーを付着させて現像し、そのトナー像を転写ベルトに１次転写し、転写ベルトから用紙に２次転写し、更に定着装置で用紙上のトナー像を定着させる処理を行う。
【００４９】
後処理部２０は、断裁実行部、バインド実行部、折実行部などで構成され、給紙部から搬送される用紙束に対して、コントローラ１１からの指示により、断裁や綴じ止め、折りなどのユーザの希望するフィニッシング処理を加えて出力する。
【００５０】
ネットワークＩ／Ｆ部２１は、ＮＩＣ（Network Interface Card）やモデムなどで構成され、画像処理装置１０を通信ネットワーク４０に接続し、ユーザ情報を管理する画像処理装置１０（親機となる画像処理装置１０）やサーバ３０からユーザ情報を取得可能にする。
【００５１】
ＵＳＢ  Ｉ／Ｆ部２２は、FeliCa（登録商標、以下省略）やＮＦＣ（Near Field Communication）、Mifare（登録商標、以下省略）などのカード規格に基づいて、ＩＣカードに記録された情報を読み取るカードリーダとの接続を可能にする。
【００５２】
シリアルＩ／Ｆ部２３は、IEEE 1394（FireWire/i.LINK）、Serial ATA（SATA）、InfiniBand、PCI Express、Serial Attached SCSI1などの規格に基づいて、印刷に対する料金を前課金で徴収するコインベンダ（前課金装置）との接続を可能にする。
【００５３】
なお、図２は本実施例の画像処理装置１０の一例であり、その構成や制御は適宜変更可能である。
【００５４】
以下、本実施例の省電力モード制御方法について、具体的に説明する。図３は、本実施例のユーザが使用するＩＣカード情報内の情報を示している。ＩＣカードの規格として、FeliCa、ＮＦＣ、Mifareなどがあり、FeliCaには、FeliCa（IDM）、FeliCa（SSFC）、FeliCa（FCF General）、FeliCa（FCF Campus）、FeliCa（Private）などのカードタイプがある。また、Mifareには、TypeＡ（Mifare UID）、TypeＡ（Mifare PID）などのカードタイプがある。そして、各々のカードタイプには記録可能なコードが規定されており、例えば、FeliCa（FCF Campus）では、２次コードとしてキャンパスコードを記録することができる。このキャンパスコードは１６進数２byteで構成され、0X0000〜0xFFFFの範囲で設定することができる。例えば、キャンパスコードで人を分類する場合、大学の割り当てが0x0100〜0x010fであれば、教員に0X0100〜0x0101、職員に0X0102〜0x0103、学生に0X0104〜0x010Fを割り当てることができる。
【００５５】
図４は、FeliCa（FCF Campus）に記録された情報に基づいて作成されるユーザ情報の一例であり、使用者（キャンパスコード）／決済方法／使用場所／使用開始時間／使用終了時間／省電力モード／省電力対象外のユーザ／省電力対象外の使用場所などを含む。
【００５６】
このユーザ情報が追加／更新／削除された場合、ネットワークで接続されている画像処理装置１０間で情報を共有する。例えば、図５（ａ）に示すように、通信ネットワーク４０に４台の画像処理装置１０が接続されており、その内の１台を親機、他を子機とした場合、子機でユーザ情報を更新したら、子機から親機に更新が通知され、親機は他の子機に最新のユーザ情報を配信する。また、図５（ｂ）に示すように、通信ネットワーク４０にサーバ３０と３台の画像処理装置１０（子機）とが接続されている場合、子機でユーザ情報を更新したら、子機からサーバ３０に更新が通知され、サーバ３０は他の子機に最新のユーザ情報を配信する。
【００５７】
図６は、マシン固有情報の一例である。各々の画像処理装置１０は、マシン固有情報として、設置場所コードと前課金装置有無の情報を設定し保存しておく。このマシン固有情報は画像処理装置１０間で共有されない。
【００５８】
図７は、電力状態の判定マトリクスであり、作図の都合上、図７（ａ）〜図７（ｄ）に分図している。各々の画像処理装置１０は、Sleep状態からDeep Sleep状態への移行タイミングや周期時刻（例えば、毎時００分）などのイベント発生時に、ユーザ情報とマシン固有情報から電力状態を決定する。
【００５９】
以下、図４のユーザ情報、図６のマシン固有情報、図７の電力状態の判定マトリクスを用いた省電力モード制御方法について説明する。ＣＰＵ１２は省電力モード制御プログラムを実行することにより、図８、９、１１、１３、１５乃至２０のフローチャート図に示す各ステップの処理を実行する。なお、図中の吹き出しは、電力状態の判定マトリクスにおけるＮｏ．を示している。
【００６０】
まず、全体フローについて、図８を参照して説明する。
【００６１】
コントローラ１１（判定部１１ｂ）は、ＭＦＰの現在時刻ａを取得する（Ｓ１０１）。次に、コントローラ１１（判定部１１ｂ）は、ＭＦＰのジョブ状態を取得し（Ｓ１０２）、ジョブの実行が完了を待つ。次に、コントローラ１１（判定部１１ｂ）は、ＭＦＰの電力状態（現在の動作モード）を取得し（Ｓ１０４）、SleepモードからDeep Sleepモードへの移行状態であるかを判断する（Ｓ１０５）。SleepモードからDeep Sleepモードへの移行状態でなければ（Ｓ１０５のＮｏ）、コントローラ１１（判定部１１ｂ）は、ＭＦＰの現在時刻ｂを取得する（Ｓ１０６）。そして、コントローラ１１（判定部１１ｂ）は、現在時刻ａの分が現在時刻ｂの分よりも大きいかを判断し（Ｓ１０７）、現在時刻ａの分が現在時刻ｂの分以下の場合は（Ｓ１０７のＮｏ）、Ｓ１０１に戻って同様の処理を繰り返す。なお、Ｓ１０７で現在時刻ａの分と現在時刻ｂの分とを比較しているのは、所定の時間間隔（現在時刻ｂの分が”００”分になるタイミング）でＳ１０８以降の処理を実行するためであり、例えば、Ｓ１０１を省略し、Ｓ１０６で取得した現在時刻が”００”分になったらＳ１０８以降の処理を実行するようにしてもよい。
【００６２】
SleepモードからDeep Sleepモードへの移行状態であると判断した場合（Ｓ１０５のＹｅｓ）、又は、現在時刻ａの分が現在時刻ｂの分よりも大きい場合（Ｓ１０７のＹｅｓ）、コントローラ１１（判定部１１ｂ）は、ユーザ情報の”省電力モード”の情報（図７における”ユーザ情報の設定値”の中の”省電力モード”の欄の情報）を取得する（Ｓ１０８）。そして、コントローラ１１（動作制御部１１ｃ）は、”省電力モード”の情報が”ユーザのみ”の場合は（Ｓ１０９のＹｅｓ）、図１５のフローチャート図に示す（ａ）の処理を実行し、”ユーザ＋決済方法”の場合は（Ｓ１１０のＹｅｓ）、図１６のフローチャート図に示す（ｂ）の処理を実行し、”ユーザ＋使用場所”の場合は（Ｓ１１１のＹｅｓ）、図１７のフローチャート図に示す（ｃ）の処理を実行する。”省電力モード”の情報が上記のいずれにも該当しない場合は（Ｓ１０９のＮｏ、Ｓ１１０のＮｏ、Ｓ１１１のＮｏ）、図７（ａ）のＮｏ．１に該当するため、コントローラ１１（動作制御部１１ｃ）は、ＭＦＰの電力状態をDeep Sleepモードに移行させ（Ｓ１１２）、Ｓ１０１に戻って同様の処理を繰り返す。
【００６３】
次に、上記（ａ）〜（ｃ）の処理について説明するが、各々の処理で共通する”ＭＦＰの使用可能時間帯の判定”と”使用可能な決済方法の判定”と”使用可能な使用場所の判定”について先に説明する。なお、これらの処理は、コントローラ１１（判定部１１ｂ）により実行される。
【００６４】
［ＭＦＰの使用可能時間帯の判定フロー］
図９に示すように、まず、現在時刻を取得する（Ｓ２０１）。次に、変数”ｉ”、”ｊ”、”ｋ”を”０”に設定し（Ｓ２０２）、図４のユーザ情報の項目４の”学生”に対する使用開始時間［ｉ］及び使用終了時間［ｉ］を取得する（Ｓ２０３、Ｓ２０４）。次に、現在時刻が使用開始時間［ｉ］の後、かつ使用終了時間［ｉ］の前であるかを判断し（Ｓ２０５）、上記条件を満たさない場合は（Ｓ２０５のＮｏ）、変数”ｉ”をインクリメント（１を加算）し（Ｓ２０６）、変数”ｉ”が３未満であるかを判断する（Ｓ２０７）。そして、変数”ｉ”が３未満の場合は（Ｓ２０７のＹｅｓ）、Ｓ２０３に戻って同様の処理を繰り返す。なお、変数”ｉ”が３未満であるかを判断するのは、図４の項目４において使用開始時間及び使用終了時間が０〜２で設定されているからである。
【００６５】
現在時刻が使用開始時間［ｉ］の後、かつ使用終了時間［ｉ］の前である場合（Ｓ２０５のＹｅｓ）、又は、変数”ｉ”が３以上の場合（Ｓ２０７のＮｏ）、図４のユーザ情報の項目４の”職員”に対して、同様に、使用開始時間［ｊ］及び使用終了時間［ｊ］を取得し（Ｓ２０８、Ｓ２０９）、現在時刻が使用開始時間［ｊ］の後、かつ使用終了時間［ｊ］の前であるかを判断し（Ｓ２１０）、上記条件を満たさない場合は（Ｓ２１０のＮｏ）、変数”ｊ”をインクリメントし（Ｓ２１１）、変数”ｊ”が３未満であるかを判断し（Ｓ２１２）、変数”ｊ”が３未満の場合は（Ｓ２１２のＹｅｓ）、Ｓ２０８に戻って同様の処理を繰り返す。
【００６６】
現在時刻が使用開始時間［ｊ］の後、かつ使用終了時間［ｊ］の前である場合（Ｓ２１０のＹｅｓ）、又は、変数”ｊ”が３以上の場合（Ｓ２１２のＮｏ）、図４のユーザ情報の項目４”教員”に対して、同様に、使用開始時間［ｋ］及び使用終了時間［ｋ］を取得し（Ｓ２１３、Ｓ２１４）、現在時刻が使用開始時間［ｋ］の後、かつ使用終了時間［ｋ］の前であるかを判断し（Ｓ２１５）、上記条件を満たさない場合は（Ｓ２１５のＮｏ）、変数”ｋ”をインクリメントし（Ｓ２１６）、変数”ｋ”が３未満であるかを判断し（Ｓ２１７）、変数”ｋ”が３未満の場合は（Ｓ２１７のＹｅｓ）、Ｓ２１３に戻って同様の処理を繰り返す。
【００６７】
図１０は、上記フローの内容を示すテーブルであり、”学生”はｉ＝０、１、２に対してＳ２０５の判断を行い、”職員”はｊ＝０、１、２に対してＳ２１０の判断を行い、”教員”はｋ＝０、１、２に対してＳ２１５の判断を行い、判断結果がＯＫの場合の”ｉ”、”ｊ”、”ｋ”の値が保持される。
【００６８】
［使用可能な決済方法の判定フロー］
図１１に示すように、まず、変数”ｉｉ”、”ｊｊ”、”ｋｋ”を”０”に設定し（Ｓ３０１）、図９のフローで保持した変数”ｉ”の値を読み込む（Ｓ３０２）。次に、読み込んだ変数”ｉ”が３未満であるかを判断し（Ｓ３０３）、変数”ｉ”が３未満の場合は（Ｓ３０３のＹｅｓ）、図４のユーザ情報の項目４の”学生”に対する決済方法を取得する（Ｓ３０４）。次に、取得した決済方法が前課金であるかを判断し（Ｓ３０５）、前課金の場合は（Ｓ３０５のＹｅｓ）、変数”ｉｉ”に１を設定し（Ｓ３０６）、前課金でない場合は（Ｓ３０５のＮｏ）、変数”ｉｉ”に２を設定する（Ｓ３０７）。
【００６９】
変数”ｉ”が３以上の場合（Ｓ３０３のＮｏ）又は、変数”ｉｉ”に１又は２を設定した後、図４のユーザ情報の”職員”に対して、同様に、変数”ｊ”の値を読み込み（Ｓ３０８）、変数”ｊ”が３未満であるかを判断し（Ｓ３０９）、変数”ｊ”が３未満の場合は（Ｓ３０９のＹｅｓ）、図４のユーザ情報の項目４の”職員”に対する決済方法を取得し（Ｓ３１０）、取得した決済方法が前課金であるかを判断し（Ｓ３１１）、前課金の場合は（Ｓ３１１のＹｅｓ）、変数”ｊｊ”に１を設定し（Ｓ３１２）、前課金でない場合は（Ｓ３１１のＮｏ）、変数”ｊｊ”に２を設定する（Ｓ３１３）。
【００７０】
変数”ｊ”が３以上の場合（Ｓ３０９のＮｏ）又は、変数”ｊｊ”に１又は２を設定した後、図４のユーザ情報の”教員”に対して、同様に、変数”ｋ”の値を読み込み（Ｓ３１４）、変数”ｋ”が３未満であるかを判断し（Ｓ３１５）、変数”ｋ”が３未満の場合は（Ｓ３１５のＹｅｓ）、図４のユーザ情報の項目４の”教員”に対する決済方法を取得し（Ｓ３１６）、取得した決済方法が前課金であるかを判断し（Ｓ３１７）、前課金の場合は（Ｓ３１７のＹｅｓ）、変数”ｋｋ”に１を設定し（Ｓ３１８）、前課金でない場合は（Ｓ３１７のＮｏ）、変数”ｋｋ”に２を設定する（Ｓ３１９）。
【００７１】
図１２は、上記フローの内容を示すテーブルであり、”学生”はｉ＝０、１、２に対してＳ３０５の判断を行い、”職員”はｊ＝０、１、２に対してＳ３１１の判断を行い、”教員”はｋ＝０、１、２に対してＳ３１７の判断を行い、判断結果に応じて”ｉｉ”、”ｊｊ”、”ｋｋ”の値（無し／前課金／後課金）が保持される。
【００７２】
［使用可能な使用場所の判定フロー］
図１３に示すように、まず、変数”ｉｉｉ”、”ｊｊｊ”、”ｋｋｋ”を”０”に設定し（Ｓ４０１）、図９のフローで保持した変数”ｉ”の値を読み込む（Ｓ４０２）。次に、読み込んだ変数”ｉ”が３未満であるかを判断し（Ｓ４０３）、変数”ｉ”が３未満の場合は（Ｓ４０３のＹｅｓ）、図４のユーザ情報の項目４の”学生”に対する使用場所［ｉ］を取得する（Ｓ４０４）。次に、取得した使用場所［ｉ］が生協であるかを判断し（Ｓ４０５）、生協の場合は（Ｓ４０５のＹｅｓ）、変数”ｉｉｉ”に１を設定する（Ｓ４０６）。使用場所［ｉ］が生協でない場合は（Ｓ４０５のＮｏ）、使用場所［ｉ］が教室であるかを判断し（Ｓ４０７）、教室の場合は（Ｓ４０７のＹｅｓ）、変数”ｉｉｉ”に２を設定し（Ｓ４０８）、教室でない場合は（Ｓ４０７のＮｏ）、変数”ｉｉｉ”に３を設定する（Ｓ４０９）。
【００７３】
変数”ｉ”が３以上の場合（Ｓ４０３のＮｏ）又は、変数”ｉｉｉ”に１又は２又は３を設定した後、図４のユーザ情報の”職員”に対して、同様に、変数”ｊ”の値を読み込み（Ｓ４１０）、変数”ｊ”が３未満であるかを判断し（Ｓ４１１）、変数”ｊ”が３未満の場合は（Ｓ４１１のＹｅｓ）、図４のユーザ情報の項目４の”職員”に対する使用場所［ｊ］を取得する（Ｓ４１２）。そして、使用場所［ｊ］が生協であるかを判断し（Ｓ４１３）、生協の場合は（Ｓ４１３のＹｅｓ）、変数”ｊｊｊ”に１を設定し（Ｓ４１４）、生協でない場合は（Ｓ４１３のＮｏ）、使用場所［ｉ］が教室であるかを判断し（Ｓ４１５）、教室の場合は（Ｓ４１５のＹｅｓ）、変数”ｊｊｊ”に２を設定し（Ｓ４１６）、教室でない場合は（Ｓ４１５のＮｏ）、変数”ｊｊｊ”に３を設定する（Ｓ４１７）。
【００７４】
変数”ｊ”が３以上の場合（Ｓ４１１のＮｏ）又は、変数”ｊｊｊ”に１又は２又は３を設定した後、図４のユーザ情報の”教員”に対して、同様に、変数”ｋ”の値を読み込み（Ｓ４１８）、変数”ｋ”が３未満であるかを判断し（Ｓ４１９）、変数”ｋ”が３未満の場合は（Ｓ４１９のＹｅｓ）、図４のユーザ情報の項目４の”教員”に対する使用場所［ｋ］を取得する（Ｓ４２０）。そして、使用場所［ｋ］が生協であるかを判断し（Ｓ４２１）、生協の場合は（Ｓ４２１のＹｅｓ）、変数”ｋｋｋ”に１を設定し（Ｓ４２２）、生協でない場合は（Ｓ４２１のＮｏ）、使用場所［ｋ］が教室であるかを判断し（Ｓ４２３）、教室の場合は（Ｓ４２３のＹｅｓ）、変数”ｋｋｋ”に２を設定し（Ｓ４２４）、教室でない場合は（Ｓ４２３のＮｏ）、変数”ｋｋｋ”に３を設定する（Ｓ４２５）。
【００７５】
図１４は、上記フローの内容を示すテーブルであり、”学生”はｉ＝０、１、２に対してＳ４０５、Ｓ４０７の判断を行い、”職員”はｊ＝０、１、２に対してＳ４１３、Ｓ４１５の判断を行い、”教員”はｋ＝０、１、２に対してＳ４２１、Ｓ４２３の判断を行い、判断結果に応じて”ｉｉｉ”、”ｊｊｊ”、”ｋｋｋ”の値（無し／生協／教室／研究室）が保持される。
【００７６】
次に、図８のＳ１０９がＹｅｓの場合の（ａ）の処理について、図１５のフローチャート図を参照して説明する。（ａ）の処理は、ユーザ種別毎に定められたＭＦＰの使用可能時間帯に基づいてＭＦＰの電力状態を制御する処理であり、コントローラ１１（動作制御部１１ｃ）により実行される。
【００７７】
図１５に示すように、上述した図９のＭＦＰの使用可能時間帯の判定結果を取得し（Ｓ５０１）、図４のユーザ情報の項目４の”省電力対象外のユーザ”を取得する（Ｓ５０２）。次に、”省電力対象外のユーザ”が”学生”であるかを判断し（Ｓ５０３）、”学生”の場合は（Ｓ５０３のＹｅｓ）、使用可能時間帯の判定結果の変数”ｉ”が３未満であるかを判断する（Ｓ５０４）。そして、変数”ｉ”が３未満の場合は（Ｓ５０４のＹｅｓ、）、図７（ａ）のＮｏ．２の電力状態に従って、ＭＦＰの電力状態をSleep状態にし（Ｓ５０８）、変数”ｉ”が３以上の場合は（Ｓ５０４のＮｏ）、図７（ａ）のＮｏ．３の電力状態に従って、ＭＦＰの電力状態をDeep Sleep状態にする（Ｓ５０９）。
【００７８】
”省電力対象外のユーザ”が”学生”でない場合は（Ｓ５０３のＮｏ）、”省電力対象外のユーザ”が”職員”であるかを判断し（Ｓ５０５）、”職員”の場合は（Ｓ５０５のＹｅｓ）、使用可能時間帯の判定結果の変数”ｊ”が３未満であるかを判断する（Ｓ５０６）。そして、変数”ｊ”が３未満の場合は（Ｓ５０６のＹｅｓ）、図７（ａ）のＮｏ．４の電力状態に従って、ＭＦＰの電力状態をSleep状態にし（Ｓ５０８）、変数”ｊ”が３以上の場合は（Ｓ５０６のＮｏ）、図７（ａ）のＮｏ．５の電力状態に従って、ＭＦＰの電力状態をDeep Sleep状態にする（Ｓ５０９）。また、”省電力対象外のユーザ”が”職員”でない場合は（Ｓ５０５のＮｏ）、使用可能時間帯の判定結果の変数”ｋ”が３未満であるかを判断する（Ｓ５０７）。そして、変数”ｋ”が３未満の場合は（Ｓ５０７のＹｅｓ）、図７（ａ）のＮｏ．６の電力状態に従って、ＭＦＰの電力状態をSleep状態にし（Ｓ５０８）、変数”ｋ”が３以上の場合は（Ｓ５０７のＮｏ）、図７（ａ）のＮｏ．７の電力状態に従って、ＭＦＰの電力状態をDeep Sleep状態にする（Ｓ５０９）。
【００７９】
その後、図８のＳ１０１に戻って同様の処理を繰り返す。
【００８０】
次に、図８のＳ１１０がＹｅｓの場合の（ｂ）の処理について、図１６のフローチャート図を参照して説明する。（ｂ）の処理は、ユーザ種別毎に定められたＭＦＰの使用可能時間帯と使用可能な決済方法とに基づいてＭＦＰの電力状態を制御する処理であり、コントローラ１１（動作制御部１１ｃ）により実行される。なお、図１６は作図の都合上、（ａ）〜（ｃ）に分図している。
【００８１】
図１６（ａ）に示すように、上述した図９のＭＦＰの使用可能時間帯の判定結果を取得すると共に（Ｓ６０１）、上述した図１１の使用可能な決済方法の判定結果を取得し（Ｓ６０２）、図４のユーザ情報の項目４の”省電力対象外のユーザ”を取得する（Ｓ６０３）。次に、”省電力対象外のユーザ”が”学生”であるかを判断し（Ｓ６０４）、”学生”の場合は（Ｓ６０４のＹｅｓ）、使用可能時間帯の判定結果の変数”ｉ”が３未満であるかを判断する（Ｓ６０５）。変数”ｉ”が３以上の場合は（Ｓ６０５のＮｏ）、図７（ａ）のＮｏ．２０の電力状態に従って、ＭＦＰの電力状態をDeep Sleep状態にする（Ｓ６１３）。一方、変数”ｉ”が３未満の場合は（Ｓ６０５のＹｅｓ、）、変数”ｊ”が３未満であるかを判断し（Ｓ６０６）、変数”ｊ”が３未満の場合は（Ｓ６０６のＹｅｓ）、変数”ｋ”が３未満であるかを判断する（Ｓ６０７）。変数”ｋ”が３未満の場合は（Ｓ６０７のＹｅｓ）、使用可能な決済方法の判定結果の変数”ｋｋ”が１であるかを判断し（Ｓ６０８）、変数”ｋｋ”が１の場合は（Ｓ６０８のＹｅｓ、すなわち、”教員”が前課金）、図７（ａ）のＮｏ．９の電力状態に従って、ＭＦＰの電力状態をDeep Sleep状態にする（Ｓ６１３）。変数”ｋｋ”が１でない場合は（Ｓ６０８のＮｏ）、変数”ｊｊ”が１であるかを判断し（Ｓ６０９）、変数”ｊｊ”が１の場合は（Ｓ６０９のＹｅｓ、すなわち、”職員”が前課金）、図７（ａ）のＮｏ．１０、１３の電力状態に従って、ＭＦＰの電力状態をDeep Sleep状態にする（Ｓ６１３）。変数”ｊｊ”が１でない場合は（Ｓ６０９のＮｏ）、変数”ｉｉ”が２であるかを判断し（Ｓ６１０）、変数”ｉｉ”が２でない場合は（Ｓ６１０のＮｏ、すなわち、”学生”が設定無し又は前課金）、図７（ａ）のＮｏ．１１、１４、１７、１９の電力状態に従って、ＭＦＰの電力状態をDeep Sleep状態にし（Ｓ６１３）、変数”ｉｉ”が２の場合は（Ｓ６１０のＹｅｓ、すなわち、”学生”が後課金）、図７（ａ）のＮｏ．８、１２、１５、１８の電力状態に従って、ＭＦＰの電力状態をSleep状態にする（Ｓ６１４）。また、変数”ｊ”が３以上の場合は（Ｓ６０６のＮｏ）、変数”ｋ”が３未満であるかを判断する（Ｓ６１１）、変数”ｋ”が３未満の場合は（Ｓ６１１のＹｅｓ）、変数”ｋｋ”が１であるかを判断する（Ｓ６１２）。変数”ｋ”が３以上の場合は（Ｓ６１１のＮｏ）又は変数”ｋｋ”が１でない場合（Ｓ６１２のＮｏ）、Ｓ６１０に遷移し、変数”ｉｉ”が２であるかを判断し（Ｓ６１０）、変数”ｉｉ”が２でない場合は、ＭＦＰの電力状態をDeep Sleep状態にし（Ｓ６１３）、変数”ｉｉ”が２の場合は、ＭＦＰの電力状態をSleep状態にする（Ｓ６１４）。また、変数”ｋｋ”が１の場合は（Ｓ６１２のＹｅｓ）、図７（ａ）のＮｏ．１６の電力状態に従って、ＭＦＰの電力状態をDeep Sleep状態にする（Ｓ６１５）。ＭＦＰの電力状態をSleep状態又はDeep Sleep状態にした後、図８のＳ１０１に戻って同様の処理を繰り返す。
【００８２】
”省電力対象外のユーザ”が”学生”でない場合は（Ｓ６０４のＮｏ）、図１６（ｂ）に示すように、”省電力対象外のユーザ”が”職員”であるかを判断し（Ｓ６１６）、”職員”の場合は（Ｓ６１６のＹｅｓ）、変数”ｊ”が３未満であるかを判断する（Ｓ６１７）。変数”ｊ”が３以上の場合は（Ｓ６１７のＮｏ）、図７（ａ）のＮｏ．３３の電力状態に従って、ＭＦＰの電力状態をDeep Sleep状態にする（Ｓ６２５）。一方、変数”ｊ”が３未満の場合は（Ｓ６１７のＹｅｓ）、変数”ｋ”が３未満であるかを判断し（Ｓ６１８）、変数”ｋ”が３未満の場合は（Ｓ６１８のＹｅｓ）、変数”ｉ”が３未満であるかを判断する（Ｓ６１９）。変数”ｉ”が３未満の場合は（Ｓ６１９のＹｅｓ）、使用可能な決済方法の判定結果の変数”ｉｉ”が１であるかを判断し（Ｓ６２０）、変数”ｉｉ”が１の場合は（Ｓ６２０のＹｅｓ、すなわち、”学生”が前課金）、図７（ａ）のＮｏ．２３の電力状態に従って、ＭＦＰの電力状態をDeep Sleep状態にする（Ｓ６２５）。変数”ｉｉ”が１でない場合は（Ｓ６２０のＮｏ）、変数”ｋｋ”が１であるかを判断し（Ｓ６２１）、変数”ｋｋ”が１の場合は（Ｓ６２１のＹｅｓ、すなわち、”教員”が前課金）、図７（ａ）のＮｏ．２２、２９の電力状態に従って、ＭＦＰの電力状態をDeep Sleep状態にする（Ｓ６２５）。変数”ｋｋ”が１でない場合は（Ｓ６２１のＮｏ）、変数”ｊｊ”が２であるかを判断し（Ｓ６２２）、変数”ｊｊ”が２でない場合は（Ｓ６２２のＮｏ、すなわち、”職員”が設定無し又は前課金）、図７（ａ）のＮｏ．２４、２７、３０、３２の電力状態に従って、ＭＦＰの電力状態をDeep Sleep状態にし（Ｓ６２５）、変数”ｊｊ”が２の場合は（Ｓ６２２のＹｅｓ、すなわち、”職員”が後課金）、図７（ａ）のＮｏ．２１、２５、２８、３１の電力状態に従って、ＭＦＰの電力状態をSleep状態にする（Ｓ６２６）。また、変数”ｋ”が３以上の場合は（Ｓ６１８のＮｏ）、変数”ｉ”が３未満であるかを判断する（Ｓ６２３）、変数”ｉ”が３未満の場合は（Ｓ６２３のＹｅｓ）、変数”ｉｉ”が１であるかを判断する（Ｓ６２４）。変数”ｉ”が３以上の場合は（Ｓ６２３のＮｏ）又は変数”ｉｉ”が１でない場合（Ｓ６２４のＮｏ）、Ｓ６２２に遷移し、変数”ｊｊ”が２であるかを判断し（Ｓ６２２）、変数”ｊｊ”が２でない場合は、ＭＦＰの電力状態をDeep Sleep状態にし（Ｓ６２５）、変数”ｊｊ”が２の場合は、ＭＦＰの電力状態をSleep状態にする（Ｓ６２６）。また、変数”ｉｉ”が１の場合は（Ｓ６２４のＹｅｓ）、図７（ａ）のＮｏ．２６の電力状態に従って、ＭＦＰの電力状態をDeep Sleep状態にする（Ｓ６２７）。ＭＦＰの電力状態をSleep状態又はDeep Sleep状態にした後、図８のＳ１０１に戻って同様の処理を繰り返す。
【００８３】
”省電力対象外のユーザ”が”職員”でない場合は（Ｓ６１６のＮｏ）、図１６（ｃ）に示すように、変数”ｋ”が３未満であるかを判断する（Ｓ６２８）。変数”ｋ”が３以上の場合は（Ｓ６２８のＮｏ）、図７（ａ）のＮｏ．４６の電力状態に従って、ＭＦＰの電力状態をDeep Sleep状態にする（Ｓ６３６）。一方、変数”ｋ”が３未満の場合は（Ｓ６２８のＹｅｓ、）、変数”ｉ”が３未満であるかを判断し（Ｓ６２９）、変数”ｉ”が３未満の場合は（Ｓ６２９のＹｅｓ）、変数”ｊ”が３未満であるかを判断する（Ｓ６３０）。変数”ｉ”が３未満の場合は（Ｓ６３０のＹｅｓ）、使用可能な決済方法の判定結果の変数”ｊｊ”が１であるかを判断し（Ｓ６３１）、変数”ｊｊ”が１の場合は（Ｓ６３１のＹｅｓ、すなわち、”職員”が前課金）、図７（ａ）のＮｏ．３６の電力状態に従って、ＭＦＰの電力状態をDeep Sleep状態にする（Ｓ６３６）。変数”ｊｊ”が１でない場合は（Ｓ６３１のＮｏ）、変数”ｉｉ”が１であるかを判断し（Ｓ６３２）、変数”ｉｉ”が１の場合は（Ｓ６３２のＹｅｓ、すなわち、”学生”が前課金）、図７（ａ）のＮｏ．３５、４２の電力状態に従って、ＭＦＰの電力状態をDeep Sleep状態にする（Ｓ６３６）。変数”ｉｉ”が１でない場合は（Ｓ６３２のＮｏ）、変数”ｋｋ”が２であるかを判断し（Ｓ６３３）、変数”ｋｋ”が２でない場合は（Ｓ６３３のＮｏ、すなわち、”教員”が設定無し又は前課金）、図７（ａ）のＮｏ．３７、４０、４３、４５の電力状態に従って、ＭＦＰの電力状態をDeep Sleep状態にし（Ｓ６３６）、変数”ｋｋ”が２の場合は（Ｓ６３３のＹｅｓ、すなわち、”教員”が後課金）、図７（ａ）のＮｏ．３４、３８、４１、４４の電力状態に従って、ＭＦＰの電力状態をSleep状態にする（Ｓ６３７）。また、変数”ｉ”が３以上の場合は（Ｓ６２９のＮｏ）、変数”ｊ”が３未満であるかを判断する（Ｓ６３４）、変数”ｊ”が３未満の場合は（Ｓ６３４のＹｅｓ）、変数”ｊｊ”が１であるかを判断する（Ｓ６３５）。変数”ｊ”が３以上の場合は（Ｓ６３４のＮｏ）又は変数”ｊｊ”が１でない場合（Ｓ６３５のＮｏ）、Ｓ６３３に遷移し、変数”ｋｋ”が２であるかを判断し（Ｓ６３３）、変数”ｋｋ”が２でない場合は、ＭＦＰの電力状態をDeep Sleep状態にし（Ｓ６３６）、変数”ｋｋ”が２の場合は、ＭＦＰの電力状態をSleep状態にする（Ｓ６３７）。また、変数”ｊｊ”が１の場合は（Ｓ６３５のＹｅｓ）、図７（ａ）のＮｏ．３９の電力状態に従って、ＭＦＰの電力状態をDeep Sleep状態にする（Ｓ６３８）。ＭＦＰの電力状態をSleep状態又はDeep Sleep状態にした後、図８のＳ１０１に戻って同様の処理を繰り返す。
【００８４】
次に、図８のＳ１１１がＹｅｓの場合の（ｃ）の処理について、図１７乃至図２０のフローチャート図を参照して説明する。（ｂ）の処理は、ユーザ種別毎に定められたＭＦＰの使用可能時間帯と使用可能な使用時間とに基づいてＭＦＰの電力状態を制御する処理であり、コントローラ１１（動作制御部１１ｃ）により実行される。なお、図１８乃至図２０は作図の都合上、（ａ）、（ｂ）に分図している。
【００８５】
図１７に示すように、上述した図９のＭＦＰの使用可能時間帯の判定結果を取得すると共に（Ｓ７０１）、上述した図１３の使用可能な使用時間の判定結果を取得し（Ｓ７０２）、図４のユーザ情報の項目４の”省電力対象外のユーザ”を取得する（Ｓ７０３）。次に、”省電力対象外のユーザ”が”学生”であるかを判断し（Ｓ７０４）、”学生”の場合は（Ｓ７０４のＹｅｓ）、後述する（ｄ）の処理を実行する。また、”省電力対象外のユーザ”が”学生”でない場合は、”職員”であるかを判断し（Ｓ７０５）、”職員”の場合は（Ｓ７０５のＹｅｓ）、後述する（ｅ）の処理を実行する。
【００８６】
（ｄ）の処理では、図１８（ａ）に示すように、図４のユーザ情報の項目４の”省電力対象外の使用場所”を取得し（Ｓ８０１）、使用可能時間帯の判定結果の変数”ｉ”が３未満であるかを判断する（Ｓ８０２）。変数”ｉ”が３以上の場合は（Ｓ８０２のＮｏ）、図７（ｂ）のＮｏ．８３の電力状態に従って、ＭＦＰの電力状態をDeep Sleep状態にする（Ｓ８１５）。一方、変数”ｉ”が３未満の場合は（Ｓ８０２のＹｅｓ、）、変数”ｊ”が３未満であるかを判断し（Ｓ８０３）、変数”ｊ”が３未満の場合は（Ｓ８０３のＹｅｓ）、変数”ｋ”が３未満であるかを判断する（Ｓ８０４）。変数”ｋ”が３未満の場合は（Ｓ８０４のＹｅｓ）、使用場所が生協であるかを判断し（Ｓ８０５）、生協の場合は（Ｓ８０５のＹｅｓ）、使用可能な使用場所の判定結果の変数”ｉｉｉ”＝”ｊｊｊ”＝”ｋｋｋ”＝１であるかを判断する（Ｓ８０６）。上記条件を満たさない場合は（Ｓ８０６のＮｏ）、図７（ｂ）のＮｏ．４８、４９、５０の電力状態に従って、ＭＦＰの電力状態をDeep Sleep状態にし（Ｓ８１５）、上記条件を満たす場合は（Ｓ８０６のＹｅｓ）、図７（ｂ）のＮｏ．４７の電力状態に従って、ＭＦＰの電力状態をSleep状態にする（Ｓ８１６）。また、使用場所が生協でない場合は（Ｓ８０５のＮｏ）、使用場所が教室であるかを判断し（Ｓ８０７）、教室の場合は（Ｓ８０７のＹｅｓ）、変数”ｉｉｉ”＝”ｊｊｊ”＝”ｋｋｋ”＝２であるかを判断する（Ｓ８０８）。上記条件を満たさない場合は（Ｓ８０８のＮｏ）、図７（ｂ）のＮｏ．５２、５３、５４の電力状態に従って、ＭＦＰの電力状態をDeep Sleep状態にし（Ｓ８１５）、上記条件を満たす場合は（Ｓ８０８のＹｅｓ）、図７（ｂ）のＮｏ．５１の電力状態に従って、ＭＦＰの電力状態をSleep状態にする（Ｓ８１６）。また、使用場所が教室でない場合は（Ｓ８０７のＮｏ）、変数”ｉｉｉ”＝”ｊｊｊ”＝”ｋｋｋ”＝３であるかを判断する（Ｓ８０９）。上記条件を満たさない場合は（Ｓ８０９のＮｏ）、図７（ｂ）のＮｏ．５６、５７、５８の電力状態に従って、ＭＦＰの電力状態をDeep Sleep状態にし（Ｓ８１５）、上記条件を満たす場合は（Ｓ８０９のＹｅｓ）、図７（ｂ）のＮｏ．５５の電力状態に従って、ＭＦＰの電力状態をSleep状態にする（Ｓ８１６）。
【００８７】
変数”ｋ”が３以上の場合は（Ｓ８０４のＮｏ）、同様に、使用場所が生協であるかを判断し（Ｓ８１０）、生協の場合は（Ｓ８１０のＹｅｓ）、変数”ｉｉｉ”＝”ｊｊｊ”＝１であるかを判断する（Ｓ８１１）。上記条件を満たさない場合は（Ｓ８１１のＮｏ）、図７（ｂ）のＮｏ．６０、６１の電力状態に従って、ＭＦＰの電力状態をDeep Sleep状態にし（Ｓ８１７）、上記条件を満たす場合は（Ｓ８１１のＹｅｓ）、図７（ｂ）のＮｏ．５９の電力状態に従って、ＭＦＰの電力状態をSleep状態にする（Ｓ８１６）。また、使用場所が生協でない場合は（Ｓ８１０のＮｏ）、使用場所が教室であるかを判断し（Ｓ８１２）、教室の場合は（Ｓ８１２のＹｅｓ）、変数”ｉｉｉ”＝”ｊｊｊ”＝２であるかを判断する（Ｓ８１３）。上記条件を満たさない場合は（Ｓ８１３のＮｏ）、図７（ｂ）のＮｏ．６３、６４の電力状態に従って、ＭＦＰの電力状態をDeep Sleep状態にし（Ｓ８１７）、上記条件を満たす場合は（Ｓ８１３のＹｅｓ）、図７（ｂ）のＮｏ．６２の電力状態に従って、ＭＦＰの電力状態をSleep状態にする（Ｓ８１６）。また、使用場所が教室でない場合は（Ｓ８１２のＮｏ）、変数”ｉｉｉ”＝”ｊｊｊ”＝３であるかを判断する（Ｓ８１４）。上記条件を満たさない場合は（Ｓ８１４のＮｏ）、図７（ｂ）のＮｏ．６６、６７の電力状態に従って、ＭＦＰの電力状態をDeep Sleep状態にし（Ｓ８１７）、上記条件を満たす場合は（Ｓ８１４のＹｅｓ）、図７（ｂ）のＮｏ．６５の電力状態に従って、ＭＦＰの電力状態をSleep状態にする（Ｓ８１６）。
【００８８】
また、変数”ｊ”が３以上の場合は（Ｓ８０３のＮｏ）、図１８（ｂ）に示すように、変数”ｋ”が３未満であるかを判断する（Ｓ８１８）。変数”ｋ”が３未満の場合は（Ｓ８１８のＹｅｓ）、使用場所が生協であるかを判断し（Ｓ８１９）、生協の場合は（Ｓ８１９のＹｅｓ）、変数”ｉｉｉ”＝”ｋｋｋ”＝１であるかを判断する（Ｓ８２０）。上記条件を満たさない場合は（Ｓ８２０のＮｏ）、図７（ｂ）のＮｏ．６９、７０の電力状態に従って、ＭＦＰの電力状態をDeep Sleep状態にし（Ｓ８２９）、上記条件を満たす場合は（Ｓ８２０のＹｅｓ）、図７（ｂ）のＮｏ．６８の電力状態に従って、ＭＦＰの電力状態をSleep状態にする（Ｓ８３０）。また、使用場所が生協でない場合は（Ｓ８１９のＮｏ）、使用場所が教室であるかを判断し（Ｓ８２１）、教室の場合は（Ｓ８２１のＹｅｓ）、変数”ｉｉｉ”＝”ｋｋｋ”＝２であるかを判断する（Ｓ８２２）。上記条件を満たさない場合は（Ｓ８２２のＮｏ）、図７（ｂ）のＮｏ．７２、７３の電力状態に従って、ＭＦＰの電力状態をDeep Sleep状態にし（Ｓ８２９）、上記条件を満たす場合は（Ｓ８２２のＹｅｓ）、図７（ｂ）のＮｏ．７１の電力状態に従って、ＭＦＰの電力状態をSleep状態にする（Ｓ８３０）。また、使用場所が教室でない場合は（Ｓ８２１のＮｏ）、変数”ｉｉｉ”＝”ｋｋｋ”＝３であるかを判断する（Ｓ８２３）。上記条件を満たさない場合は（Ｓ８２３のＮｏ）、図７（ｂ）のＮｏ．７５、７６の電力状態に従って、ＭＦＰの電力状態をDeep Sleep状態にし（Ｓ８２９）、上記条件を満たす場合は（Ｓ８２３のＹｅｓ）、図７（ｂ）のＮｏ．７４の電力状態に従って、ＭＦＰの電力状態をSleep状態にする（Ｓ８３０）。
【００８９】
変数”ｋ”が３以上の場合は（Ｓ８１８のＮｏ）、同様に、使用場所が生協であるかを判断し（Ｓ８２４）、生協の場合は（Ｓ８２４のＹｅｓ）、変数”ｉｉｉ”＝１であるかを判断する（Ｓ８２５）。上記条件を満たさない場合は（Ｓ８２５のＮｏ）、図７（ｂ）のＮｏ．７８の電力状態に従って、ＭＦＰの電力状態をDeep Sleep状態にし（Ｓ８３１）、上記条件を満たす場合は（Ｓ８２５のＹｅｓ）、図７（ｂ）のＮｏ．７７の電力状態に従って、ＭＦＰの電力状態をSleep状態にする（Ｓ８３０）。また、使用場所が生協でない場合は（Ｓ８２４のＮｏ）、使用場所が教室であるかを判断し（Ｓ８２６）、教室の場合は（Ｓ８２６のＹｅｓ）、変数”ｉｉｉ”＝２であるかを判断する（Ｓ８２７）。上記条件を満たさない場合は（Ｓ８２７のＮｏ）、図７（ｂ）のＮｏ．８０の電力状態に従って、ＭＦＰの電力状態をDeep Sleep状態にし（Ｓ８３１）、上記条件を満たす場合は（Ｓ８２７のＹｅｓ）、図７（ｂ）のＮｏ．７９の電力状態に従って、ＭＦＰの電力状態をSleep状態にする（Ｓ８３０）。また、使用場所が教室でない場合は（Ｓ８２６のＮｏ）、変数”ｉｉｉ”＝３であるかを判断する（Ｓ８２８）。上記条件を満たさない場合は（Ｓ８２８のＮｏ）、図７（ｂ）のＮｏ．８２の電力状態に従って、ＭＦＰの電力状態をDeep Sleep状態にし（Ｓ８３１）、上記条件を満たす場合は（Ｓ８２８のＹｅｓ）、図７（ｂ）のＮｏ．８１の電力状態に従って、ＭＦＰの電力状態をSleep状態にする（Ｓ８３０）。
【００９０】
（ｅ）の処理では、図１９（ａ）に示すように、図４のユーザ情報の項目４の”省電力対象外の使用場所”を取得し（Ｓ９０１）、使用可能時間帯の判定結果の変数”ｊ”が３未満であるかを判断する（Ｓ９０２）。変数”ｊ”が３以上の場合は（Ｓ９０２のＮｏ）、図７（ｃ）のＮｏ．１２０の電力状態に従って、ＭＦＰの電力状態をDeep Sleep状態にする（Ｓ９１５）。一方、変数”ｊ”が３未満の場合は（Ｓ９０２のＹｅｓ、）、変数”ｉ”が３未満であるかを判断し（Ｓ９０３）、変数”ｉ”が３未満の場合は（Ｓ９０３のＹｅｓ）、変数”ｋ”が３未満であるかを判断する（Ｓ９０４）。変数”ｋ”が３未満の場合は（Ｓ９０４のＹｅｓ）、使用場所が生協であるかを判断し（Ｓ９０５）、生協の場合は（Ｓ９０５のＹｅｓ）、使用可能な使用場所の判定結果の変数”ｉｉｉ”＝”ｊｊｊ”＝”ｋｋｋ”＝１であるかを判断する（Ｓ９０６）。上記条件を満たさない場合は（Ｓ９０６のＮｏ）、図７（ｃ）のＮｏ．８５、８６、８７の電力状態に従って、ＭＦＰの電力状態をDeep Sleep状態にし（Ｓ９１５）、上記条件を満たす場合は（Ｓ９０６のＹｅｓ）、図７（ｃ）のＮｏ．８４の電力状態に従って、ＭＦＰの電力状態をSleep状態にする（Ｓ９１６）。また、使用場所が生協でない場合は（Ｓ９０５のＮｏ）、使用場所が教室であるかを判断し（Ｓ９０７）、教室の場合は（Ｓ９０７のＹｅｓ）、変数”ｉｉｉ”＝”ｊｊｊ”＝”ｋｋｋ”＝２であるかを判断する（Ｓ９０８）。上記条件を満たさない場合は（Ｓ９０８のＮｏ）、図７（ｃ）のＮｏ．８９、９０、９１の電力状態に従って、ＭＦＰの電力状態をDeep Sleep状態にし（Ｓ９１５）、上記条件を満たす場合は（Ｓ９０８のＹｅｓ）、図７（ｃ）のＮｏ．８８の電力状態に従って、ＭＦＰの電力状態をSleep状態にする（Ｓ９１６）。また、使用場所が教室でない場合は（Ｓ９０７のＮｏ）、変数”ｉｉｉ”＝”ｊｊｊ”＝”ｋｋｋ”＝３であるかを判断する（Ｓ９０９）。上記条件を満たさない場合は（Ｓ９０９のＮｏ）、図７（ｃ）のＮｏ．９３、９４、９５の電力状態に従って、ＭＦＰの電力状態をDeep Sleep状態にし（Ｓ９１５）、上記条件を満たす場合は（Ｓ９０９のＹｅｓ）、図７（ｃ）のＮｏ．９２の電力状態に従って、ＭＦＰの電力状態をSleep状態にする（Ｓ９１６）。
【００９１】
変数”ｋ”が３以上の場合は（Ｓ９０４のＮｏ）、同様に、使用場所が生協であるかを判断し（Ｓ９１０）、生協の場合は（Ｓ９１０のＹｅｓ）、変数”ｉｉｉ”＝”ｊｊｊ”＝１であるかを判断する（Ｓ９１１）。上記条件を満たさない場合は（Ｓ９１１のＮｏ）、図７（ｃ）のＮｏ．９７、９８の電力状態に従って、ＭＦＰの電力状態をDeep Sleep状態にし（Ｓ９１７）、上記条件を満たす場合は（Ｓ９１１のＹｅｓ）、図７（ｃ）のＮｏ．９６の電力状態に従って、ＭＦＰの電力状態をSleep状態にする（Ｓ９１６）。また、使用場所が生協でない場合は（Ｓ９１０のＮｏ）、使用場所が教室であるかを判断し（Ｓ９１２）、教室の場合は（Ｓ９１２のＹｅｓ）、変数”ｉｉｉ”＝”ｊｊｊ”＝２であるかを判断する（Ｓ９１３）。上記条件を満たさない場合は（Ｓ９１３のＮｏ）、図７（ｂ）のＮｏ．１００、１０１の電力状態に従って、ＭＦＰの電力状態をDeep Sleep状態にし（Ｓ９１７）、上記条件を満たす場合は（Ｓ９１３のＹｅｓ）、図７（ｃ）のＮｏ．９９の電力状態に従って、ＭＦＰの電力状態をSleep状態にする（Ｓ９１６）。また、使用場所が教室でない場合は（Ｓ９１２のＮｏ）、変数”ｉｉｉ”＝”ｊｊｊ”＝３であるかを判断する（Ｓ９１４）。上記条件を満たさない場合は（Ｓ９１４のＮｏ）、図７（ｃ）のＮｏ．１０３、１０４の電力状態に従って、ＭＦＰの電力状態をDeep Sleep状態にし（Ｓ９１７）、上記条件を満たす場合は（Ｓ９１４のＹｅｓ）、図７（ｃ）のＮｏ．１０２の電力状態に従って、ＭＦＰの電力状態をSleep状態にする（Ｓ９１６）。
【００９２】
また、変数”ｉ”が３以上の場合は（Ｓ９０３のＮｏ）、図１９（ｂ）に示すように、変数”ｋ”が３未満であるかを判断する（Ｓ９１８）。変数”ｋ”が３未満の場合は（Ｓ９１８のＹｅｓ）、使用場所が生協であるかを判断し（Ｓ９１９）、生協の場合は（Ｓ９１９のＹｅｓ）、変数”ｊｊｊ”＝”ｋｋｋ”＝１であるかを判断する（Ｓ９２０）。上記条件を満たさない場合は（Ｓ９２０のＮｏ）、図７（ｃ）のＮｏ．１０６、１０７の電力状態に従って、ＭＦＰの電力状態をDeep Sleep状態にし（Ｓ９２９）、上記条件を満たす場合は（Ｓ９２０のＹｅｓ）、図７（ｃ）のＮｏ．１０５の電力状態に従って、ＭＦＰの電力状態をSleep状態にする（Ｓ９３０）。また、使用場所が生協でない場合は（Ｓ９１９のＮｏ）、使用場所が教室であるかを判断し（Ｓ９２１）、教室の場合は（Ｓ９２１のＹｅｓ）、変数”ｊｊｊ”＝”ｋｋｋ”＝２であるかを判断する（Ｓ９２２）。上記条件を満たさない場合は（Ｓ９２２のＮｏ）、図７（ｃ）のＮｏ．１０９、１１０の電力状態に従って、ＭＦＰの電力状態をDeep Sleep状態にし（Ｓ９２９）、上記条件を満たす場合は（Ｓ９２２のＹｅｓ）、図７（ｃ）のＮｏ．１０８の電力状態に従って、ＭＦＰの電力状態をSleep状態にする（Ｓ９３０）。また、使用場所が教室でない場合は（Ｓ９２１のＮｏ）、変数”ｊｊｊ”＝”ｋｋｋ”＝３であるかを判断する（Ｓ９２３）。上記条件を満たさない場合は（Ｓ９２３のＮｏ）、図７（ｃ）のＮｏ．１１２、１１３の電力状態に従って、ＭＦＰの電力状態をDeep Sleep状態にし（Ｓ９２９）、上記条件を満たす場合は（Ｓ９２３のＹｅｓ）、図７（ｃ）のＮｏ．１１１の電力状態に従って、ＭＦＰの電力状態をSleep状態にする（Ｓ９３０）。
【００９３】
変数”ｋ”が３以上の場合は（Ｓ９１８のＮｏ）、同様に、使用場所が生協であるかを判断し（Ｓ９２４）、生協の場合は（Ｓ９２４のＹｅｓ）、変数”ｊｊｊ”＝１であるかを判断する（Ｓ９２５）。上記条件を満たさない場合は（Ｓ９２５のＮｏ）、図７（ｃ）のＮｏ．１１５の電力状態に従って、ＭＦＰの電力状態をDeep Sleep状態にし（Ｓ９３１）、上記条件を満たす場合は（Ｓ９２５のＹｅｓ）、図７（ｃ）のＮｏ．１１４の電力状態に従って、ＭＦＰの電力状態をSleep状態にする（Ｓ９３０）。また、使用場所が生協でない場合は（Ｓ９２４のＮｏ）、使用場所が教室であるかを判断し（Ｓ９２６）、教室の場合は（Ｓ９２６のＹｅｓ）、変数”ｊｊｊ”＝２であるかを判断する（Ｓ９２７）。上記条件を満たさない場合は（Ｓ９２７のＮｏ）、図７（ｃ）のＮｏ．１１７の電力状態に従って、ＭＦＰの電力状態をDeep Sleep状態にし（Ｓ９３１）、上記条件を満たす場合は（Ｓ９２７のＹｅｓ）、図７（ｃ）のＮｏ．１１６の電力状態に従って、ＭＦＰの電力状態をSleep状態にする（Ｓ９３０）。また、使用場所が教室でない場合は（Ｓ９２６のＮｏ）、変数”ｊｊｊ”＝３であるかを判断する（Ｓ９２８）。上記条件を満たさない場合は（Ｓ９２８のＮｏ）、図７（ｃ）のＮｏ．１１９の電力状態に従って、ＭＦＰの電力状態をDeep Sleep状態にし（Ｓ９３１）、上記条件を満たす場合は（Ｓ９２８のＹｅｓ）、図７（ｃ）のＮｏ．１１８の電力状態に従って、ＭＦＰの電力状態をSleep状態にする（Ｓ９３０）。
【００９４】
（ｆ）の処理では、図２０（ａ）に示すように、図４のユーザ情報の項目４の”省電力対象外の使用場所”を取得し（Ｓ１００１）、使用可能時間帯の判定結果の変数”ｋ”が３未満であるかを判断する（Ｓ１００２）。変数”ｋ”が３以上の場合は（Ｓ１００２のＮｏ）、図７（ｄ）のＮｏ．１５７の電力状態に従って、ＭＦＰの電力状態をDeep Sleep状態にする（Ｓ１０１５）。一方、変数”ｋ”が３未満の場合は（Ｓ１００２のＹｅｓ、）、変数”ｉ”が３未満であるかを判断し（Ｓ１００３）、変数”ｉ”が３未満の場合は（Ｓ１００３のＹｅｓ）、変数”ｊ”が３未満であるかを判断する（Ｓ１００４）。変数”ｊ”が３未満の場合は（Ｓ１００４のＹｅｓ）、使用場所が生協であるかを判断し（Ｓ１００５）、生協の場合は（Ｓ１００５のＹｅｓ）、使用可能な使用場所の判定結果の変数”ｉｉｉ”＝”ｊｊｊ”＝”ｋｋｋ”＝１であるかを判断する（Ｓ１００６）。上記条件を満たさない場合は（Ｓ１００６のＮｏ）、図７（ｄ）のＮｏ．１２２、１２３、１２４の電力状態に従って、ＭＦＰの電力状態をDeep Sleep状態にし（Ｓ１０１５）、上記条件を満たす場合は（Ｓ１００６のＹｅｓ）、図７（ｄ）のＮｏ．１２１の電力状態に従って、ＭＦＰの電力状態をSleep状態にする（Ｓ１０１６）。また、使用場所が生協でない場合は（Ｓ１００５のＮｏ）、使用場所が教室であるかを判断し（Ｓ１００７）、教室の場合は（Ｓ１００７のＹｅｓ）、変数”ｉｉｉ”＝”ｊｊｊ”＝”ｋｋｋ”＝２であるかを判断する（Ｓ１００８）。上記条件を満たさない場合は（Ｓ１００８のＮｏ）、図７（ｄ）のＮｏ．１２６、１２７、１２８の電力状態に従って、ＭＦＰの電力状態をDeep Sleep状態にし（Ｓ１０１５）、上記条件を満たす場合は（Ｓ１００８のＹｅｓ）、図７（ｄ）のＮｏ．１２５の電力状態に従って、ＭＦＰの電力状態をSleep状態にする（Ｓ１０１６）。また、使用場所が教室でない場合は（Ｓ１００７のＮｏ）、変数”ｉｉｉ”＝”ｊｊｊ”＝”ｋｋｋ”＝３であるかを判断する（Ｓ１００９）。上記条件を満たさない場合は（Ｓ１００９のＮｏ）、図７（ｄ）のＮｏ．１３０、１３１、１３２の電力状態に従って、ＭＦＰの電力状態をDeep Sleep状態にし（Ｓ１０１５）、上記条件を満たす場合は（Ｓ１００９のＹｅｓ）、図７（ｄ）のＮｏ．１２９の電力状態に従って、ＭＦＰの電力状態をSleep状態にする（Ｓ１０１６）。
【００９５】
変数”ｊ”が３以上の場合は（Ｓ１００４のＮｏ）、同様に、使用場所が生協であるかを判断し（Ｓ１０１０）、生協の場合は（Ｓ１０１０のＹｅｓ）、変数”ｉｉｉ”＝”ｋｋｋ”＝１であるかを判断する（Ｓ１０１１）。上記条件を満たさない場合は（Ｓ１０１１のＮｏ）、図７（ｄ）のＮｏ．１３４、１３５の電力状態に従って、ＭＦＰの電力状態をDeep Sleep状態にし（Ｓ１０１７）、上記条件を満たす場合は（Ｓ１０１１のＹｅｓ）、図７（ｄ）のＮｏ．１３３の電力状態に従って、ＭＦＰの電力状態をSleep状態にする（Ｓ１０１６）。また、使用場所が生協でない場合は（Ｓ１０１０のＮｏ）、使用場所が教室であるかを判断し（Ｓ１０１２）、教室の場合は（Ｓ１０１２のＹｅｓ）、変数”ｉｉｉ”＝”ｋｋｋ”＝２であるかを判断する（Ｓ１０１３）。上記条件を満たさない場合は（Ｓ１０１３のＮｏ）、図７（ｂ）のＮｏ．１３７、１３８の電力状態に従って、ＭＦＰの電力状態をDeep Sleep状態にし（Ｓ１０１７）、上記条件を満たす場合は（Ｓ１０１３のＹｅｓ）、図７（ｄ）のＮｏ．１３６の電力状態に従って、ＭＦＰの電力状態をSleep状態にする（Ｓ１０１６）。また、使用場所が教室でない場合は（Ｓ１０１２のＮｏ）、変数”ｉｉｉ”＝”ｋｋｋ”＝３であるかを判断する（Ｓ１０１４）。上記条件を満たさない場合は（Ｓ１０１４のＮｏ）、図７（ｄ）のＮｏ．１４０、１４１の電力状態に従って、ＭＦＰの電力状態をDeep Sleep状態にし（Ｓ１０１７）、上記条件を満たす場合は（Ｓ１０１４のＹｅｓ）、図７（ｄ）のＮｏ．１３９の電力状態に従って、ＭＦＰの電力状態をSleep状態にする（Ｓ１０１６）。
【００９６】
また、変数”ｉ”が３以上の場合は（Ｓ１００３のＮｏ）、図２０（ｂ）に示すように、変数”ｊ”が３未満であるかを判断する（Ｓ１０１８）。変数”ｊ”が３未満の場合は（Ｓ１０１８のＹｅｓ）、使用場所が生協であるかを判断し（Ｓ１０１９）、生協の場合は（Ｓ１０１９のＹｅｓ）、変数”ｊｊｊ”＝”ｋｋｋ”＝１であるかを判断する（Ｓ１０２０）。上記条件を満たさない場合は（Ｓ１０２０のＮｏ）、図７（ｄ）のＮｏ．１４３、１４４の電力状態に従って、ＭＦＰの電力状態をDeep Sleep状態にし（Ｓ１０２９）、上記条件を満たす場合は（Ｓ１０２０のＹｅｓ）、図７（ｄ）のＮｏ．１４２の電力状態に従って、ＭＦＰの電力状態をSleep状態にする（Ｓ１０３０）。また、使用場所が生協でない場合は（Ｓ１０１９のＮｏ）、使用場所が教室であるかを判断し（Ｓ１０２１）、教室の場合は（Ｓ１０２１のＹｅｓ）、変数”ｊｊｊ”＝”ｋｋｋ”＝２であるかを判断する（Ｓ１０２２）。上記条件を満たさない場合は（Ｓ１０２２のＮｏ）、図７（ｄ）のＮｏ．１４６、１４７の電力状態に従って、ＭＦＰの電力状態をDeep Sleep状態にし（Ｓ１０２９）、上記条件を満たす場合は（Ｓ１０２２のＹｅｓ）、図７（ｄ）のＮｏ．１４５の電力状態に従って、ＭＦＰの電力状態をSleep状態にする（Ｓ１０３０）。また、使用場所が教室でない場合は（Ｓ１０２１のＮｏ）、変数”ｊｊｊ”＝”ｋｋｋ”＝３であるかを判断する（Ｓ１０２３）。上記条件を満たさない場合は（Ｓ１０２３のＮｏ）、図７（ｄ）のＮｏ．１４９、１５０の電力状態に従って、ＭＦＰの電力状態をDeep Sleep状態にし（Ｓ１０２９）、上記条件を満たす場合は（Ｓ１０２３のＹｅｓ）、図７（ｄ）のＮｏ．１４８の電力状態に従って、ＭＦＰの電力状態をSleep状態にする（Ｓ１０３０）。
【００９７】
変数”ｊ”が３以上の場合は（Ｓ１０１８のＮｏ）、同様に、使用場所が生協であるかを判断し（Ｓ１０２４）、生協の場合は（Ｓ１０２４のＹｅｓ）、変数”ｋｋｋ”＝１であるかを判断する（Ｓ１０２５）。上記条件を満たさない場合は（Ｓ１０２５のＮｏ）、図７（ｄ）のＮｏ．１５２の電力状態に従って、ＭＦＰの電力状態をDeep Sleep状態にし（Ｓ１０３１）、上記条件を満たす場合は（Ｓ１０２５のＹｅｓ）、図７（ｄ）のＮｏ．１５１の電力状態に従って、ＭＦＰの電力状態をSleep状態にする（Ｓ１０３０）。また、使用場所が生協でない場合は（Ｓ１０２４のＮｏ）、使用場所が教室であるかを判断し（Ｓ１０２６）、教室の場合は（Ｓ１０２６のＹｅｓ）、変数”ｋｋｋ”＝２であるかを判断する（Ｓ１０２７）。上記条件を満たさない場合は（Ｓ１０２７のＮｏ）、図７（ｄ）のＮｏ．１５４の電力状態に従って、ＭＦＰの電力状態をDeep Sleep状態にし（Ｓ１０３１）、上記条件を満たす場合は（Ｓ１０２７のＹｅｓ）、図７（ｄ）のＮｏ．１５３の電力状態に従って、ＭＦＰの電力状態をSleep状態にする（Ｓ１０３０）。また、使用場所が教室でない場合は（Ｓ１０２６のＮｏ）、変数”ｋｋｋ”＝３であるかを判断する（Ｓ１０２８）。上記条件を満たさない場合は（Ｓ１０２８のＮｏ）、図７（ｄ）のＮｏ．１５６の電力状態に従って、ＭＦＰの電力状態をDeep Sleep状態にし（Ｓ１０３１）、上記条件を満たす場合は（Ｓ１０２８のＹｅｓ）、図７（ｄ）のＮｏ．１５５の電力状態に従って、ＭＦＰの電力状態をSleep状態にする（Ｓ１０３０）。
【００９８】
以上、説明したように、複数の種別のユーザが使用可能な所定の場所に設置される画像処理装置１０は、親機やサーバなどの記憶装置から、ユーザ種別毎の使用可能な時間帯（又は使用可能な時間帯と使用可能な決済方法、又は使用可能な時間帯と使用可能な使用場所）を規定するユーザ情報を取得し、所定の時間間隔で、取得したユーザ情報に基づいて、ユーザ種別毎に、現在時刻が当該ユーザ種別のユーザが使用可能な時間帯であるか（又は当該ユーザ種別のユーザが使用可能な決済方法で使用可能な時間帯であるか、又は当該ユーザ種別のユーザが使用可能な使用場所で使用可能な時間帯であるか）を判定し、この判定結果に基づいて、Deep Sleepモードの移行を制御することにより、適切に省電力モードを制御することができる。
【００９９】
なお、本発明は上記実施例に限定されるものではなく、本発明の趣旨を逸脱しない限りにおいて、その構成や制御は適宜変更可能である。
【０１００】
例えば、上記実施例では、ユーザの種別毎の使用可能時間帯、又は、ユーザの種別毎の使用可能時間帯及び決済方法、又は、ユーザの種別毎の使用可能時間帯及び使用場所に基づいて省電力モードを制御したが、ユーザの種別毎の使用可能時間帯及び決済方法及び使用場所に基づいて省電力モードを制御したり、他の情報を付加して省電力モードを制御したりしてもよい。
【０１０１】
また、上記実施例では、SleepモードとDeep Sleepモードとの間の移行について説明したが、通常モードや待機モードからDeep Sleepモードに直接移行する場合や、Deep Sleepモードから通常モードや待機モードに直接移行する場合に対しても、本発明の省電力モード制御を同様に適用することができる。
【０１０２】
また、上記実施例では、大学の生協／教室／研究室で学生／職員／教員が画像処理装置１０を使用する場合を例示したが、画像処理装置１０を設置する施設や設置場所、ユーザの種別は実施例の記載に限定されず、ユーザの種別毎に使用可能時間帯や使用形態、使用場所が変化する任意の場合に対して、本発明の省電力モード制御を同様に適用することができる。
【産業上の利用可能性】
【０１０３】
本発明は、省電力モードとして電力消費量が異なる複数のモードを備える画像処理装置、省電力モードを制御する省電力モード制御方法、省電力モード制御プログラム及びに当該省電力モード制御プログラムを記録した記録媒体に利用可能である。
【符号の説明】
【０１０４】
１０  画像処理装置
１１  コントローラ
１１ａ  情報取得部
１１ｂ  判定部
１１ｃ  動作制御部
１２  ＣＰＵ
１３  ＲＯＭ
１４  ＲＡＭ
１５  記憶部
１６  パネル（表示操作部）
１７  画像処理部
１８  画像読取部
１９  印刷部
２０  後処理部
２１  ネットワークＩ／Ｆ部
２２  ＵＳＢ  Ｉ／Ｆ部
２３  シリアルＩ／Ｆ部
３０  サーバ
４０  通信ネットワーク
【図１】
2018130825.tif 000003
【図２】
2018130825.tif 000004
【図３】
2018130825.tif 000005
【図４】
2018130825.tif 000006
【図５】
2018130825.tif 000007
【図６】
2018130825.tif 000008
【図７（ａ）】
2018130825.tif 000009
【図７（ｂ）】
2018130825.tif 000010
【図７（ｃ）】
2018130825.tif 000011
【図７（ｄ）】
2018130825.tif 000012
【図８】
2018130825.tif 000013
【図９】
2018130825.tif 000014
【図１０】
2018130825.tif 000015
【図１１】
2018130825.tif 000016
【図１２】
2018130825.tif 000017
【図１３】
2018130825.tif 000018
【図１４】
2018130825.tif 000019
【図１５】
2018130825.tif 000020
【図１６（ａ）】
2018130825.tif 000021
【図１６（ｂ）】
2018130825.tif 000022
【図１６（ｃ）】
2018130825.tif 000023
【図１７】
2018130825.tif 000024
【図１８（ａ）】
2018130825.tif 000025
【図１８（ｂ）】
2018130825.tif 000026
【図１９（ａ）】
2018130825.tif 000027
【図１９（ｂ）】
2018130825.tif 000028
【図２０（ａ）】
2018130825.tif 000029
【図２０（ｂ）】
2018130825.tif 000030
【図２１】
2018130825.tif 000031
【図２２】
2018130825.tif 000032
【図２３】
2018130825.tif 000033
【図２４】
2018130825.tif 000034
【図２５】
2018130825.tif 000035
【図２６】
2018130825.tif 000036
【図２７】
2018130825.tif 000037
【図２８】
2018130825.tif 000038
【図２９】
2018130825.tif 000039
【図３０】
2018130825.tif 000040
【図３１】
2018130825.tif 000041
【図３２】
2018130825.tif 000042